(57)【要約】【課題】第１のフォーマットで第１の記録媒体に記録されたビデオデータを、第２のフォーマットで第２の記録媒体に記録させるまでの一連の処理を、ユーザの手動操作を介することなく実行させることができる。【解決手段】起動部１０１が、ＤＶ１２よりデジタルビデオテープ１３の取得が可能であることを検出すると、処理制御部１０２が、ＤＶＤフォーマット部１０９、調査部１０４、ビットレート設定部１０６、取得部１０５、メニュー作成部１０７、ＤＶＤ書き込み部１０８のそれぞれの処理を、一連の処理としてその順番で連続して実行させることで、ＤＶ１２に装着されたデジタルビデオテープ１３の記録データが、ユーザの手動操作を介することなく、ＤＶＤ−Ｒ／ＲＷドライブ３６に装着されたＤＶＤ１４に記録される。本発明は、デジタルカセットビデオテープの記録データをＤＶＤに記録させる情報処理装置に適用可能である。【選択図】　　　図４
2004104284.tif 000002
【特許請求の範囲】
【請求項１】
第１のフォーマットで記録されたコンテンツデータを再生する再生装置と接続する接続手段と、
前記接続手段に接続された前記再生装置により再生される前記コンテンツデータを取得するコンテンツデータ取得手段と、
前記コンテンツデータ取得手段により取得された前記コンテンツデータのフォーマットを、前記第１のフォーマットから第２のフォーマットに変換する変換手段と、
前記変換手段により第２のフォーマットに変換された前記コンテンツデータを、情報処理装置から着脱自在な所定の記録媒体に記録させるように制御する記録制御手段と、
前記再生装置より供給される、前記接続手段に前記再生装置が接続され、かつ、前記再生装置による前記コンテンツデータの再生が可能であることを表す信号を検出する検出手段と、
前記検出手段により前記信号が検出された場合、前記コンテンツデータ取得手段、前記変換手段、および、前記記録制御手段の処理を、一連の処理として、その順番で連続して実行させるように制御する処理制御手段と
を備えることを特徴とする情報処理装置。
【請求項２】
前記接続手段に接続された前記再生装置による前記コンテンツデータの再生を制御する再生制御手段と、
前記再生制御手段により再生が制御された前記コンテンツデータから、前記コンテンツデータの時間情報を取得する情報取得手段と
をさらに備え、
前記コンテンツデータ取得手段は、前記再生制御手段により再生が制御された前記コンテンツデータを取得し、
前記記録制御手段は、前記情報取得手段により取得された前記コンテンツデータの前記時間情報に基づいて、前記第２のフォーマットの前記コンテンツデータを、前記記録媒体に記録させるように制御し、
前記処理制御手段は、前記検出手段により前記信号が検出された場合、前記情報取得手段の処理を、前記一連の処理のうちの１つの処理として、前記記録制御手段の処理の前に実行させるように制御する
ことを特徴とする請求項１に記載の情報処理装置。
【請求項３】
前記再生装置は、デジタルビデオテープレコーダであり、
前記第１のフォーマットは、前記デジタルビデオテープレコーダのフォーマットであり、
前記コンテンツデータ取得手段により取得される前記コンテンツデータは、前記デジタルビデオテープレコーダに装着されたデジタルビデオテープに記録されており、
前記再生制御手段は、前記デジタルビデオテープレコーダに装着された前記デジタルビデオテープの、再生、早送り、および、巻き戻しの処理、並びに前記処理の停止を制御する
ことを特徴とする請求項２に記載の情報処理装置。
【請求項４】
前記コンテンツデータは、動画像、および前記動画像に対応する音声からなるデータであり、
前記情報取得手段により取得された前記コンテンツデータの前記時間情報に基づいて、前記記録制御手段の制御により前記記録媒体に前記コンテンツデータが記録される場合における、前記コンテンツデータの前記動画像の画質、および、画サイズ、並びに、前記音声の音質を決定する決定手段をさらに備え、
前記記録制御手段は、前記決定手段により決定された前記動画像の画質、および、画サイズ、並びに、前記音声の音質で、前記コンテンツデータを、前記記録媒体に記録させるように制御し、
前記処理制御手段は、前記検出手段により前記信号が検出された場合、前記決定手段の処理を、前記一連の処理のうちの１つの処理として、前記情報取得手段の処理の後であって、かつ、前記記録制御手段の処理の前に実行させるように制御する
ことを特徴とする請求項２に記載の情報処理装置。
【請求項５】
前記第２のフォーマットは、ＤＶＤ規格により規定されているフォーマットであり、
前記情報取得手段により取得された前記コンテンツデータの前記時間情報に基づいて、前記コンテンツデータ取得手段により取得された前記コンテンツデータのＤＶＤメニューを生成する生成手段をさらに備え、
前記記録制御手段は、前記生成手段により生成された前記ＤＶＤメニューに基づいて、前記第２のフォーマットの前記コンテンツデータを、前記記録媒体に記録させるように制御し、
前記処理制御手段は、前記検出手段により前記信号が検出された場合、前記生成手段の処理を、前記一連の処理のうちの１つの処理として、前記情報取得手段の処理の後であって、かつ、前記記録制御手段の処理の前に実行させるように制御する
ことを特徴とする請求項４に記載の情報処理装置。
【請求項６】
所定の条件をトリガとして、コンピュータに、
所定の再生装置により再生された第１のフォーマットのコンテンツデータを取得するコンテンツデータ取得ステップと、
前記コンテンツデータ取得ステップの処理により取得された前記コンテンツデータのフォーマットを、前記第１のフォーマットから第２のフォーマットに変換する変換ステップと、
前記変換ステップの処理により前記第２のフォーマットに変換された前記コンテンツデータを、前記コンピュータから着脱自在な記録媒体に記録させるように制御する記録制御ステップとを、
一連の処理として、その順番で連続して実行させる
ことを特徴とするプログラム。
【請求項７】
前記コンピュータに、
前記再生装置より供給される、前記コンピュータに前記再生装置が接続され、かつ、前記再生装置による前記コンテンツデータの再生が可能であることを表す信号が入力された場合、所定のシンボルを表示させるように制御する表示制御ステップと、
前記表示制御ステップの処理により表示が制御された前記シンボルがユーザにより選択されたことを検出する検出ステップと
をさらに実行させ、
前記検出ステップの処理により前記シンボルがユーザにより選択されたことが検出された場合、それを前記トリガとして、前記コンピュータに、
前記コンテンツデータ取得ステップ、前記変換ステップ、および、前記記録制御ステップを、一連の処理として、その順番で連続して実行させる
ことを特徴とする請求項６に記載のプログラム。
【発明の詳細な説明】
【０００１】
【発明の属する技術分野】
本発明は、情報処理装置、およびプログラムに関し、特に、第１のフォーマットで第１の記録媒体に記録されたビデオデータを、第２のフォーマットで第２の記録媒体に記録させるまでの一連の処理を、ユーザの手動操作を介することなく実行させることができるようにした情報処理装置、およびプログラムに関する。
【０００２】
【従来の技術】
近年、パーソナルコンピュータ（以下、適宜、ＰＣとも記述する）、および、デジタルビデオテープレコーダ（以下、適宜、ＤＶとも記述する）の普及が進み、ユーザは、ユーザ自身がＤＶを使って撮影したビデオデータを、ＰＣに取り込み、ＤＶＤ（Ｄｉｇｉｔａｌ　Ｖｅｒｓａｔｉｌｅ　Ｄｉｓｃ）に記録させることが可能になっている。
【０００３】
【発明が解決しようとする課題】
しかしながら、従来、ＤＶで撮影されたビデオデータを、ＤＶからＰＣに取り込む作業と、そのオーサリング作業（例えば、取り込まれたビデオデータをＤＶＤに記録させる作業）は、それぞれ別のプロセスとされており、そのため、ユーザは、ＤＶで撮影したビデオデータを、ＤＶＤに記録させる場合、複雑な作業を必要とし、かつ、多大な作業時間を必要とするという課題があった。
【０００４】
即ち、ユーザは、ＤＶで撮影したビデオデータを、ＤＶＤに記録させる場合、ＤＶから、ＤＶフォーマットのビデオデータをＰＣに取り込むアプリケーションソフトウエアプログラム（非特許文献１参照。なお、このようなアプリケーションソフトウエアプログラムを、以下、データ取得プログラムと称する）をＰＣ上に手動で起動させ、データ取得プログラムで決められている操作（手動操作）を施すことで、ＤＶからビデオデータをＰＣに取り込ませ、ＤＶフォーマットのまま、例えば、ＰＣ内のハードディスクに記憶させる。
【０００５】
その後、ユーザは、データ取得プログラムを手動で立ち下げ、ハードディスクに記憶されたビデオデータを、ＤＶＤに記録させるアプリケーションソフトウエアプログラム（非特許文献２参照。以下、このようなアプリケーションソフトウエアプログラムを、ＤＶＤ書き込みプログラムと称する）をＰＣ上に手動で起動させ、ＤＶＤ書き込みプログラムで決められている操作（手動操作）を施して、ハードディスクに記憶されているビデオデータのフォーマットを、ＤＶのフォーマットからＤＶＤのフォーマットに変換させた後、そのＤＶＤのフォーマットのビデオデータをＤＶＤに記録させ、それが終了すると、ＤＶＤ書き込みプログラムを手動で立ち下げる。
【０００６】
このように、ユーザは、ＰＣを使用して、ＤＶで記録したビデオデータを、ＤＶＤに記録させる場合、複数の手動操作を伴う複雑な作業を必要とし、かつ、それに伴い、多大な作業時間を必要とするという課題があった。
【０００７】
本発明は、このような状況に鑑みてなされたものであり、第１のフォーマットで第１の記録媒体に記録されたビデオデータを、第２のフォーマットで第２の記録媒体に記録させるまでの一連の処理を、ユーザの手動操作を介することなく実行させることができるようにするものである。
【０００８】
【非特許文献１】
「ＤＶｇａｔｅ（ディーブイゲート）」商品説明、［ｏｎｌｉｎｅ］、ソニードライブホームページ、［２００２年８月３０日検索］、インターネット，＜ＵＲＬ　：ｈｔｔｐ：／／ｗｗｗ．ｓｏｎｙ．ｊｐ／ｐｒｏｄｕｃｔｓ／Ｃｏｎｓｕｍｅｒ／ＰＣＯＭ／Ｓｏｆｔｗａｒｅ＿０２ｑ２／ＤＶｇａｔｅ／ｉｎｄｅｘ．ｈｔｍｌ＞
【非特許文献２】
「Ｓｉｍｐｌｅ　ＤＶＤ　Ｍａｋｅｒ」商品説明、［ｏｎｌｉｎｅ］、ソニードライブホームページ　「Ｓｉｍｐｌｅ　ＤＶＤ　Ｍａｋｅｒ」の説明、［２００２年８月３０日検索］、インターネット，＜ＵＲＬ　：ｈｔｔｐ：／／ｗｗｗ．ｓｏｎｙ．ｊｐ／ｐｒｏｄｕｃｔｓ／Ｃｏｎｓｕｍｅｒ／ＰＣＯＭ／Ｆｕｎ／ＤＶＤ−ＲＷ／＞
【０００９】
【課題を解決するための手段】
本発明の情報処理装置は、第１のフォーマットで記録されたコンテンツデータを再生する再生装置と接続する接続手段と、接続手段に接続された再生装置により再生されるコンテンツデータを取得するコンテンツデータ取得手段と、コンテンツデータ取得手段により取得されたコンテンツデータのフォーマットを、第１のフォーマットから第２のフォーマットに変換する変換手段と、変換手段により第２のフォーマットに変換されたコンテンツデータを、情報処理装置から着脱自在な所定の記録媒体に記録させるように制御する記録制御手段と、再生装置より供給される、接続手段に再生装置が接続され、かつ、再生装置によるコンテンツデータの再生が可能であることを表す信号を検出する検出手段と、検出手段により信号が検出された場合、コンテンツデータ取得手段、変換手段、および、記録制御手段の処理を、一連の処理として、その順番で連続して実行させるように制御する処理制御手段とを備えることを特徴とする。
【００１０】
接続手段に接続された再生装置によるコンテンツデータの再生を制御する再生制御手段と、再生制御手段により再生が制御されたコンテンツデータから、コンテンツデータの時間情報を取得する情報取得手段とをさらに設け、コンテンツデータ取得手段は、再生制御手段により再生が制御されたコンテンツデータを取得し、記録制御手段は、情報取得手段により取得されたコンテンツデータの時間情報に基づいて、第２のフォーマットのコンテンツデータを、記録媒体に記録させるように制御し、処理制御手段は、検出手段により信号が検出された場合、情報取得手段の処理を、上述した一連の処理のうちの１つの処理として、記録制御手段の処理の前に実行させるように制御するようにすることができる。
【００１１】
再生装置は、デジタルビデオテープレコーダであり、第１のフォーマットは、デジタルビデオテープレコーダのフォーマットであり、コンテンツデータ取得手段により取得されるコンテンツデータは、デジタルビデオテープレコーダに装着されたデジタルビデオテープに記録されており、再生制御手段は、デジタルビデオテープレコーダに装着されたデジタルビデオテープの、再生、早送り、および、巻き戻しの処理、並びにそれらの処理の停止を制御するようにすることができる。
【００１２】
コンテンツデータは、動画像、およびその動画像に対応する音声からなるデータであり、情報取得手段により取得されたコンテンツデータの時間情報に基づいて、記録制御手段の制御により記録媒体にコンテンツデータが記録される場合における、コンテンツデータの動画像の画質、および、画サイズ、並びに、音声の音質を決定する決定手段をさらに設け、記録制御手段は、決定手段により決定された動画像の画質、および、画サイズ、並びに、音声の音質で、コンテンツデータを記録媒体に記録させるように制御し、処理制御手段は、検出手段により信号が検出された場合、決定手段の処理を、上述した一連の処理のうちの１つの処理として、情報取得手段の処理の後であって、かつ、記録制御手段の処理の前に実行させるように制御するようにすることができる。
【００１３】
第２のフォーマットは、ＤＶＤ規格により規定されているフォーマットであり、情報取得手段により取得されたコンテンツデータの時間情報に基づいて、コンテンツデータ取得手段により取得されたコンテンツデータのＤＶＤメニューを生成する生成手段をさらに設け、記録制御手段は、生成手段により生成されたＤＶＤメニューに基づいて、第２のフォーマットのコンテンツデータを、記録媒体に記録させるように制御し、処理制御手段は、検出手段により信号が検出された場合、生成手段の処理を、上述した一連の処理のうちの１つの処理として、情報取得手段の処理の後であって、かつ、記録制御手段の処理の前に実行させるように制御するようにすることができる。
【００１４】
本発明のプログラムは、所定の条件をトリガとして、所定の再生装置により再生された第１のフォーマットのコンテンツデータを取得するコンテンツデータ取得ステップと、コンテンツデータ取得ステップの処理により取得されたコンテンツデータのフォーマットを、第１のフォーマットから第２のフォーマットに変換する変換ステップと、変換ステップの処理により第２のフォーマットに変換されたコンテンツデータを、コンピュータから着脱自在な記録媒体に記録させるように制御する記録制御ステップとを、一連の処理として、その順番で連続してコンピュータに実行させることを特徴とする。
【００１５】
コンピュータに、再生装置より供給される、コンピュータに再生装置が接続され、かつ、再生装置によるコンテンツデータの再生が可能であることを表す信号が入力された場合、所定のシンボルを表示させるように制御する表示制御ステップと、表示制御ステップの処理により表示が制御されたシンボルがユーザにより選択されたことを検出する検出ステップとをさらに実行させ、検出ステップの処理によりシンボルがユーザにより選択されたことが検出された場合、それをトリガとして、コンピュータに、コンテンツデータ取得ステップ、変換ステップ、および、記録制御ステップを、一連の処理として、その順番で連続して実行させるようにすることができる。
【００１６】
本発明の情報処理装置、およびプログラムにおいては、所定の再生装置より供給される、再生装置が情報処理装置に接続され、かつ、再生装置によるコンテンツデータの再生が可能であることを表す信号が検出されると、それがトリガとされて、再生装置により再生された第１のフォーマットのコンテンツデータが情報処理装置内に取得され、取得されたコンテンツデータのフォーマットが、第１のフォーマットから第２のフォーマットに変換され、第２のフォーマットに変換されたコンテンツデータが、情報処理装置から着脱自在な記録媒体に記録されるまでの処理が、一連の処理として、その順番で連続して実行される。
【００１７】
本発明の情報処理装置は、再生装置と有線で接続されてもよいし、無線で接続されてもよい。
【００１８】
また、本発明の情報処理装置は、情報処理装置自身に内蔵されたドライブに装着された記録媒体の記録の制御を行ってもよいし、外部のドライブ装置が無線、または有線で接続されて、その外部のドライブ装置を制御することで、外部のドライブ装置に装着された記録媒体の記録の制御を行ってもよい。
【００１９】
なお、本発明は、勿論、本発明の情報処理装置に対応する情報処理方法としても適応可能であるし、本発明のプログラムを記録する記録媒体にも適応可能である。
【００２０】
【発明の実施の形態】
図１は、本実施形態が適用される情報処理システムの構成例を表している。
【００２１】
図１において、情報処理システム１には、接続線１５により相互に接続された、パーソナルコンピュータ１１（以下、ＰＣ１１と記述する）、および、デジタルビデオテープレコーダ１２（以下、ＤＶ１２と記述する）が設けられている。
【００２２】
接続線１５は、有線でも無線でもよく、その実施の形態は特に限定されないが、この例においては、例えば、ｉ．ＬＩＮＫ（商標）の専用ケーブルとされる。即ち、この例においては、例えば、ＰＣ１１とＤＶ１２は、ｉ．ＬＩＮＫにより接続される。ｉ．ＬＩＮＫは、本願出願人であるソニー株式会社の商標であり、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４の高速デジタルシリアルインターフェースである。従って、ＰＣ１１とＤＶ１２のそれぞれは、ＩＥＥＥ１３９４の規格に準拠するデータ（パケットに格納されているデータ）を相互に送受信する。
【００２３】
ＤＶ１２は、ＤＶ１２自身、または、他のＤＶにより所定のビデオデータが記録されたデジタルビデオテープ１３が装着された場合、ＰＣ１１の制御（或いは、ユーザの手動操作）に基づいて、デジタルビデオテープ１３に記録されたビデオデータを再生し、それを再生ビデオ信号として、ケーブル１５を介してＰＣ１１に送信する。
【００２４】
ＰＣ１１は、ＤＶ１２から接続線１５を介して送信されてくる再生ビデオ信号を受信し、受信した再生ビデオ信号に対応するビデオデータのフォーマットを、ＤＶのフォーマットからＤＶＤ（Ｄｉｇｉｔａｌ　Ｖｅｒｓａｔｉｌｅ　Ｄｉｓｃ）のフォーマット（例えば、ＭＰＥＧ−２（Ｍｏｖｉｎｇ　Ｐｉｃｔｕｒｅ　Ｅｘｐｅｒｔｓ　Ｇｒｏｕｐ−２）フォーマット）に変換させ、ＰＣ１１に装着されたＤＶＤ１４に書き込む（記録させる）。なお、ここでは、ＤＶＤ−Ｒ、ＤＶＤ−ＲＷ、ＤＶＤ＋Ｒ、ＤＶＤ＋ＲＷ、および、ＤＶＤ−ＲＡＭを全て一括して、単にＤＶＤ１４と称する。
【００２５】
図２は、ＰＣ１１の詳細な構成例を表している。
【００２６】
図２のＰＣ１１において、ＣＰＵ２１は、例えば、インテル（Ｉｎｔｅｌ）社製のペンティアム（登録商標）プロセッサ等で構成され、フロントサイドバス（ＦＳＢ）５４に接続されている。ＦＳＢ５４にはさらに、ノースブリッジ２３が接続されており、ノースブリッジ２３は、ＡＧＰ（Ａｃｃｅｌｅｒａｔｅｄ　Ｇｒａｐｈｉｃｓ　Ｐｏｒｔ）５５を有しているとともに、ハブインタフェース５３に接続されている。
【００２７】
ノースブリッジ２３は、例えば、インテル社製のＡＧＰ　Ｈｏｓｔ　Ｂｒｉｄｇｅ　Ｃｏｎｔｒｏｌｌｅｒである４４０ＢＸなどで構成されており、ＣＰＵ２１およびメモリ２２を制御する。メモリ２２は、ＲＡＭ（Ｒａｎｄｏｍ　Ａｃｃｅｓｓ　Ｍｅｍｏｒｙ）、および、キャッシュメモリ（いずれも図示せず）として構成されている。
【００２８】
ＲＡＭは、例えば、ＤＲＡＭ（Ｄｙｎａｍｉｃ　ＲＡＭ）で構成され、ＣＰＵ２１が実行するプログラム、またはＣＰＵ２１の動作に必要なデータを記憶する。具体的には、例えば、ＲＡＭは、起動が完了した時点において、ＨＤＤ３４からロードされたＯＳ（Ｏｐｅｒａｔｉｎｇ　Ｓｙｓｔｅｍ）やインターネットプログラムなどを記憶する。ＯＳは、例えば、マイクロソフト社のいわゆるウィンドウズ（登録商標）ＸＰ、またはアップルコンピュータ社のいわゆるＭａｃ　ＯＳ（登録商標）等に代表される、コンピュータの基本的な動作を制御するプログラムである。
【００２９】
キャッシュメモリは、ＳＲＡＭ（Ｓｔａｔｉｃ　ＲＡＭ）などＲＡＭと比較して、より高速な書き込みまたは読み出しの動作を実行できるメモリで構成され、ＣＰＵ２１が使用するプログラムまたはデータをキャッシュする（一時的に記憶する）。
【００３０】
なお、ＣＰＵ２１は、その内部に１次的な、キャッシュメモリに比較して、より高速に動作でき、ＣＰＵ２１自身が制御するキャッシュを有する。
【００３１】
ノースブリッジ２３はまた、ＡＧＰ５５を介して、ビデオコントローラ２４を制御する。ビデオコントローラ２４は、ＬＣＤ（Ｌｉｑｕｉｄ　Ｃｒｙｓｔａｌ　Ｄｉｓｐｌａｙ）２５またはＶＧＡ（Ｖｉｄｅｏ　Ｇｒａｐｈｉｃｓ　Ａｒｒａｙ）方式のディスプレイ（以下、ＶＧＡ２６と記述する）をコントロールする。
【００３２】
ビデオコントローラ２４は、ＣＰＵ２１から供給されるデータ（イメージデータまたはテキストデータなど）を受信して、受信したデータに対応するイメージデータを生成するか、または、受信したデータをそのまま内蔵するビデオメモリ（図示せず）に記憶する。ビデオコントローラ２４は、ＬＣＤ２５またはＶＧＡ２６に、ビデオメモリに記憶されているイメージデータに対応する画像を表示させる。ＬＣＤ２５またはＶＧＡ２６は、ビデオコントローラ２４から供給されたデータを基に、画像または文字などを表示する。
【００３３】
ノースブリッジ２３はさらに、ハブインタフェース５３を介して、サウスブリッジ２７とも接続されている。サウスブリッジ２７は、例えば、インテル社製のＰＩＩＸ４Ｅなどで構成されており、ＡＣリンクバス５６、ＵＳＢバス５７、または、ＩＤＥバス５８に接続されるデバイスの制御等、各種のＩ／Ｏ（Ｉｎｐｕｔ　／　Ｏｕｔｐｕｔ）を制御する。
【００３４】
具体的には、ＡＣリンクバス５６には、モデム２８、および、音声入出力部２９が接続されている。モデム２８は、公衆回線網に接続されており、公衆回線網またはインターネット（いずれも図示せず）を介する通信処理を実行する。音声入出力部２９は、マイクロフォン（図示せず）から音声を取り込み、その音声に対応するデータを生成して、メモリ２２に出力する。また音声入出力部２９は、スピーカ（図示せず）を駆動して、スピーカに音声を出力させる。
【００３５】
サウスブリッジ２７のＵＳＢバス５７には、ＵＳＢコネクタ３０が接続され、各種ＵＳＢデバイスが接続可能になされている。またＵＳＢバス５７を介して、メモリースティックスロット３１とブルーテゥース通信部３３が接続されている。メモリースティックスロット３１には、メモリースティック（商標）３２が装着される。
【００３６】
メモリースティック３２は、本願出願人であるソニー株式会社によって開発されたフラッシュメモリカードの一種である。このメモリースティック３２は、縦２１．５×横５０×厚さ２．８［ｍｍ］の小型薄型形状のプラスチックケース内に電気的に書換えや消去が可能な不揮発性メモリであるＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ　）の一種であるフラッシュメモリ素子を格納したものであり、１０ピン端子を介して画像や音声、音楽等の各種データの書き込み及び読み出しが可能となっている。ブルーテゥース通信部３３は、ブルーテゥース規格による通信を行う。
【００３７】
サウスブリッジ２７のＩＤＥバス５８には、ＨＤＤ３４が接続されている。また、ＩＤＥバス５８には、いわゆるＩＤＥデバイスと称される、ＣＤ−ＲＯＭ（Ｃｏｍｐａｃｔ　Ｄｉｓｃ−Ｒｅａｄ　Ｏｎｌｙ　Ｍｅｍｏｒｙ）ドライブ３５や、ＤＶＤ−Ｒ／ＲＷドライブ３６が電気的に接続される。ＤＶＤ−Ｒ／ＲＷドライブ３６には、上述したＤＶＤ１４が装着される。
【００３８】
サウスブリッジ２７にはまた、ＢＩＯＳ（Ｂａｓｉｃ　Ｉｎｐｕｔ　Ｏｕｔｐｕｔ　Ｓｙｓｔｅｍ）３９、ＰＣＩ（Ｐｅｒｉｐｈｅｒａｌ　Ｃｏｍｐｏｎｅｎｔ　Ｉｎｔｅｒｃｏｎｎｅｃｔ）バス５１、および、ＬＰＣ（Ｌｏｗ　ＰｉｎＣｏｕｎｔ）バス５２が接続されている。
【００３９】
ＢＩＯＳ３９は、ＰＣ１１の基本動作命令を集めたプログラム群であり、例えば、ＲＯＭ（Ｒｅａｄ　Ｏｎｌｙ　Ｍｅｍｏｒｙ）（図示せず）などに記憶されている。また、ＢＩＯＳ３９は、ＯＳまたはアプリケーションプログラムと周辺機器との間でのデータの受け渡し（入出力）を制御する。
【００４０】
ＬＰＣバス５２には、Ｉ／Ｏ（Ｉｎｐｕｔ／Ｏｕｔｐｕｔ）インタフェース３７、およびコントローラ３８が接続されている。
【００４１】
Ｉ／Ｏインタフェース３７には、パラレル端子４０とシリアル端子４１が接続されており、それぞれの端子に接続された機器とのデータの授受を行う。
【００４２】
コントローラ３８には、ジョグダイヤル４２、キーボード４３、および、マウス４４等の入力機器（入力手段）が接続されており、コントローラ３８は、これらの入力機器の制御を行うとともに、電源装置（図示せず）より供給される電力の制御も行う。
【００４３】
ＰＣＩバス５１には、ｉ．ＬＩＮＫ４５と、ＰＣカードインタフェース４６が接続されている。Ｉ．ＬＩＮＫ４５は、上述したように、ＣＰＵ２１から供給された信号（例えば、後述するＤＶ１２の再生を指令する制御信号等）を専用のケーブル１５を介してＤＶ１２に供給するとともに、ＤＶ１２からケーブル１５を介して供給される信号（例えば、後述する再生ビデオ信号）をＣＰＵ２１、メモリ２２、またはＨＤＤ３４に供給する。ＰＣカードインタフェース４６は、スロット４７に接続された機器（カード（図示せず））から供給されたデータを、ＣＰＵ２１またはメモリ２２に供給するとともに、ＣＰＵ２１から供給されたデータをスロット４７に接続されているカードに出力する。
【００４４】
スロット４７には必要に応じて、図２に示されるように、ドライブ４８が接続される。この場合、ドライブ４８は、スロット４７およびＰＣカードインタフェース４６を介して、ＰＣＩバス５１に接続される。ドライブ４８は、装着されている磁気ディスク、光ディスク、光磁気ディスク、または半導体メモリ等からなるリムーバブル記録媒体４９に記録されているデータを読み出し、読み出したデータをメモリ２２に供給する。また、ＣＰＵ２１の処理により生成されたデータを、ドライブ４８に装着されるリムーバブル記録媒体４９に記憶させる。
【００４５】
図３は、図１の情報処理システム１のうちの、ＤＶ１２の詳細な構成例を表している。
【００４６】
図３に示されるように、ＤＶ１２には、被写体を動画像として撮影し、それを画像信号として出力するＣＣＤ（Ｃｈａｒｇｅ　Ｃｏｕｐｌｅｄ　Ｄｅｖｉｃｅ）７１、ＣＣＤ７１が撮影した時点の、ＤＶ１２の周囲の音声を取得し、それを音声信号として出力するマイクロフォン７２、ＣＣＤ７１より供給される画像信号と、マイクロフォン７２より供給される音声信号を合成して、それを記録ビデオ信号として出力するビデオ信号合成部７３、ビデオ信号合成部７３より供給された記録ビデオ信号をＡ／Ｄ変換（Ａｎａｌｏｇ　ｔｏ　Ｄｉｇｉｔａｌ変換）した後、エンコードし、さらに変調してヘッド７５に供給し、上述したデジタルビデオテープ１３に記録させるとともに、デジタルビデオテープ１３からヘッド７５を介して再生された再生ビデオ信号を出力するビデオ信号記録再生部７４、および、ヘッド７５が設けられている。
【００４７】
ＤＶ１２にはまた、ビデオ信号記録再生部７４から垂直同期信号の供給を受け、この垂直同期信号に同期して、これに対応する制御信号をビデオ信号記録再生部７４に出力する他、操作部７７からの操作指令信号や、ＰＣ１１から接続ケーブル１５、および、ｉ．ＬＩＮＫ７８を介して供給される制御信号に基づいて、ＤＶ１２全体の動作を制御する制御部７６、並びに、ボタン、スイッチ、若しくは、リモートコントローラなどにより構成され、ユーザにより、所定の指令に対応する入力操作がなされたとき、その入力操作に対応する操作指令信号を出力する操作部７７が設けられている。
【００４８】
ＤＶ１２にはさらに、ｉ．ＬＩＮＫ７８、ビデオ信号分離部７９、スピーカ８０、および、ＬＣＤ（Ｌｉｑｕｉｄ　Ｃｒｙｓｔａｌ　Ｄｉｓｐｌａｙ）８１が設けられている。
【００４９】
ｉ．ＬＩＮＫ７８は、上述したＰＣ１１のｉ．ＬＩＮＫ４５（図２）と専用の接続ケーブル１５を介して接続され、ビデオ信号記録再生部７４より供給された再生ビデオ信号（デジタル信号）を、ケーブル１５を介してＰＣ１１に送信するとともに、ＰＣ１１より送信された制御信号を、ケーブル１５を介して受信し、制御部７６に供給する。
【００５０】
ＰＣ１１が送信する制御信号は、特に限定されず、様々な制御を行うための制御信号が使用可能である。この例においては、例えば、このような制御信号のうちの、ＤＶ１２に装着されたデジタルビデオテープ１３の、通常速度での再生、通常速度に対してｋ倍速の再生（ｋは、１を除く任意の数値であり、正数の場合、順方向の再生を表し、負数の場合、逆方向の再生を表す）、および、早送り、巻き戻し、並びに、テープ動作（再生（Ｋ倍速の再生含む）、早送り、または、巻き戻し動作）の停止を指令する制御信号が、少なくとも利用される。
【００５１】
従って、この例においては、例えば、再生（ｋ倍速の再生含む）、早送り、または、巻き戻しの制御信号がＰＣ１１からケーブル１５を介して送信されると、制御部７６は、それをｉ．ＬＩＮＫ７８を介して受信し、ＤＶ１２に装着されたデジタルビデオテープ１３の、再生（ｋ倍速の再生含む）、早送り、または、巻き戻しの処理のうちの、受信した制御信号に対応する処理を実行する。そして、次に、停止の制御信号がＰＣ１１からケーブル１５を介して送信されると、制御部７６は、それをｉ．ＬＩＮＫ７８を介して受信し、ＤＶ１２に装着されたビデオテープレコーダ１３に対していま実行している処理を停止させる。このように、ＤＶ１２は、ｉ．ＬＩＮＫ７８を介して、ＰＣ１１により遠隔操作されることが可能である。
【００５２】
ビデオ信号分離部７９は、ビデオ信号記録再生部７４より出力されたデジタルの再生ビデオ信号を復調し、デコードして、さらにＤ／Ａ（Ｄｉｇｉｔａｌ　ｔｏ　Ａｎａｌｏｇ）変換した後、音声信号と画像信号に分離し、音声信号をスピーカ８０に供給するとともに、画像信号をＬＣＤ８１に供給する。スピーカ８０は、ビデオ信号分離部７９より供給された音声信号を、音声として出力する。ＬＣＤ８１は、ビデオ信号分離部７９より供給された画像信号を、動画像として表示する。
【００５３】
次に、図面を参照して、図２のＰＣ１１が有している機能のうちの、本発明が適用される機能、即ち、ＤＶ１２に装着されたデジタルビデオテープ１３に記録されたビデオデータ（以下、単に記録データと称する）を取得し、ＤＶＤ−Ｒ／ＲＷドライブ３６に装着されたＤＶＤ１４に書き込む（記録させる）処理を、一連の処理として連続して（一括して）実行する機能を実現するソフトウエアプログラム（以下、そのようなソフトウエアプログラムを、データ取得／ＤＶＤ書き込み部と称する）について説明する。
【００５４】
図４は、この例のデータ取得／ＤＶＤ書き込み部９１の構成例を表している。
【００５５】
図４に示されるように、データ取得／ＤＶＤ書き込み部９１には、起動部１０１、処理制御部１０２、ＤＶ制御部１０３、調査部１０４、取得部１０５、ビットレート設定部１０６、メニュー作成部１０７、ＤＶＤ書き込み部１０８、ＤＶＤフォーマット部１０９、および、調査内容／設定内容記憶部１１０が設けられている。
【００５６】
これらのうちの調査内容／設定内容記憶部１１０を除くもの、即ち、起動部１０１乃至ＤＶＤフォーマット部１０９のそれぞれは、この例においては、例えば、モジュールにより構成される。これら複数のモジュールのそれぞれは、１つの独立したアルゴリズムを持ち、かつ、そのアルゴリズムに従って固有の動作を実行する。即ち、各モジュールのそれぞれは、ＣＰＵ２１（図２）により適宜読み出され、実行される。
【００５７】
具体的には、起動部１０１は、ＤＶ１２との接続状態を常時監視し、ＤＶ１２がＰＣ１１に接続され、かつ、ＤＶ１２の電源が投入されたことを検出すると、データ取得／ＤＶＤ書き込み部９１全体を起動させる。
【００５８】
データ取得／ＤＶＤ書き込み部９１が起動されると、処理制御部１０２が、調査部１０４乃至ＤＶＤフォーマット部１０９のそれぞれの処理を、所定の順番（この例においては、図中、処理制御部１０２と、調査部１０４乃至ＤＶＤフォーマット部１０９のそれぞれの間に引かれた矢印の上に記述されている番号の順番）で順次、連続して（一連の処理として）実行させるように制御する。
【００５９】
即ち、はじめに、ＤＶＤフォーマット部１０９が、ＤＶＤ−Ｒ／ＲＷドライブ３６に装着されたＤＶＤ１４を書き込み可能な状態にすると、調査部１０４が、ＤＶ１２に装着されたデジタルビデオテープ１３の記録データの記録内容を調査し、ビットレート設定部１０６が、その調査結果に基づいて、ＤＶＤ１４にビデオデータが書き込まれる場合の最適なビットレート（画像データのビットレート、および、音声データのビットレート）を設定する。
【００６０】
そして、取得部１０５が、ＤＶ１２に装着されたデジタルビデオテープ１３の記録データを取得し、そのフォーマットを、ＤＶのフォーマットからＤＶＤのフォーマットに変換させて、ＤＶＤのフォーマットのビデオデータをＨＤＤ３４に一時記憶させる。
【００６１】
引き続き、メニュー作成部１０７が、ＨＤＤ３４に記憶されたビデオデータに対応するＤＶＤメニューを作成し、ＤＶＤ書き込み部１０８が、作成されたＤＶＤメニューに基づいて、ＨＤＤ３４に記憶されたビデオデータを、ＤＶＤ−Ｒ／ＲＷドライブ３６に装着されたＤＶＤ１４に書き込む（記録する）。
【００６２】
ＤＶ制御部１０３は、調査部１０４や取得部１０５からの処理制御部１０２を介する指令（要求）に基づいて、上述した制御信号を生成し、ＤＶ１２に送信することで、ＤＶ１２に装着されたデジタルビデオテープ１３の再生（ｋ倍速再生を含む）、巻き戻し、または早送り等を制御する。
【００６３】
調査内容／設定内容記憶部１１０は、例えば、メモリ２２（図２）内に構成され、調査部１０４により調査されたデジタルビデオテープ１３の記録データの内容や、ビットレート設定部１０６により設定されたビットレートの設定の内容が記憶される。
【００６４】
次に、図５のフローチャートを参照して、図４のデータ取得／ＤＶＤ書き込み部９１の処理について説明する。
【００６５】
はじめに、ステップＳ１において、起動部１０１は、ＤＶ１２（図１）が、ＰＣ１１（図１）に接続され、かつ、その電源（図示せず）が投入されたか否かを判定する。
【００６６】
ステップＳ１において、ＤＶ１２が、ＰＣ１１に接続され、かつ、その電源が投入されていないと判定した場合、起動部１０１は、その処理をステップＳ１に戻し、それ以降の処理を繰り返す。即ち、起動部１０１は、ＤＶ１２が、ＰＣ１１に接続され、かつ、その電源（図示せず）が投入されたか否かを常時監視している。
【００６７】
例えば、いま、図３において、ＤＶ１２のｉ．ＬＩＮＫ７８とＰＣ１１のｉ．ＬＩＮＫ４５（図２）がケーブル１５を介して接続され、かつ、ＤＶ１２の電源が投入されたとすると、ＤＶ１２の制御部７６は、予め設定されたＤＶ１２を表す所定の識別番号を、ｉ．ＬＩＮＫ７８、およびケーブル１５を介して、ＰＣ１１に送信してくる。
【００６８】
即ち、ＤＶ１２の電源が投入されたことは、コンテンツデータ（デジタルビデオデータ１３の記録データ）の再生が可能であることを表しており、ＰＣ１１に接続されることは、ＰＣ１１が、ＤＶ１２により再生されたコンテンツデータを取得することが可能であることを表している。従って、この識別番号は、ＰＣ１１にＤＶ１２がケーブル１５を介して接続され、かつ、ＤＶ１２によるコンテンツデータの再生が可能であることを表す信号とも言える。
【００６９】
そこで、図４において、起動部１０１は、この識別番号を、ｉ．ＬＩＮＫ４５（図２）を介して受信すると、図５のステップＳ１において、ＤＶ１２が、ＰＣ１１に接続され、かつ、その電源が投入されたと判定し、その処理をステップＳ２に進める。
【００７０】
処理がステップＳ２に進むと、処理制御部１０２は、後述するステップＳ２乃至Ｓ１３の処理を、一連の処理として一括して（連続して）、実行させるように制御する。還元すると、ユーザから見た場合、ステップＳ２乃至Ｓ１３の処理が、ユーザの手動操作の介在が無く、自動的に順次実行されることになる。なお、ここでは、ユーザの手動操作の介在が無くとも（図２のジョグダイヤル４２、キーボード４３、または、マウス４４といった入力機器からの入力が無くとも）、ＣＰＵ２１が自分自身の判断で（いま実行しているプログラムに従って）、処理を実行することを、自動的と称する。
【００７１】
ただし、この場合、処理制御部１０２の処理（上述したシーケンス制御）を実行させるためのトリガが必要とされる。このトリガは、特に限定されず、例えば、起動部１０１の検出（ＤＶ１２が、ＰＣ１１に接続され、かつその電源が投入されたことの検出）そのものがトリガとされて（ステップＳ１の処理で、条件が満たされたと判定されると）、即ステップＳ２の処理が開始されてもよい。或いは、起動部１０１の検出の後、ステップＳ２以降の処理の実行を指令するソフトボタン（図示せず）がＬＣＤ２５（図２）等に表示され、それを見たユーザが、マウス４４（図２）等を操作して、そのソフトボタンを選択した場合（マウス４４のカーソル（図示せず）をそのソフトボタンの上に配置させ、マウス４４の左ボタン（図示せず）をクリックした場合）、そのユーザのクリック操作（ソフトボタンの選択操作）がトリガとされて、ステップＳ２の処理が開始されてもよい。
【００７２】
このようなトリガにより、ステップＳ２において、ＤＶＤフォーマット部１０９は、ＤＶＤ−Ｒ／ＲＷドライブ３６に装着されたＤＶＤ１４が書き込み済みであるか否かを判定する。
【００７３】
ステップＳ２において、ＤＶＤ１４が書き込み済みではないと判定した場合、ＤＶＤフォーマット部１０９は、その処理をステップＳ６に進める。
【００７４】
これに対して、ステップＳ２において、ＤＶＤ１４が書き込み済みであると判定した場合、ＤＶＤフォーマット部１０９は、ステップＳ３において、ＤＶＤ１４の記録内容が消去可能であるか否かを判定する。
【００７５】
ステップＳ３において、ＤＶＤ１４の記録内容が消去不能である（可能ではない）と判定した場合、ＤＶＤフォーマット部１０９は、ステップＳ４においてＬＣＤ２５（図２）等にＤＶＤ１４の交換を促すメッセージを表示させ、その処理をステップＳ２に戻し、それ以降の処理を繰り返す。即ち、ユーザにより記録内容の消去が不可能なＤＶＤ１４がＤＶＤ−Ｒ／ＲＷドライブ３６より取り外され、新たなＤＶＤ１４がＤＶＤ−Ｒ／ＲＷドライブ３６に装着されると、ＤＶＤフォーマット部１０９は、ステップＳ２の処理で、その新たなＤＶＤ１４が書き込み済みか否かを判定する。
【００７６】
これに対して、ステップＳ３において、ＤＶＤ１４の記録内容が消去可能であると判定した場合、ＤＶＤフォーマット部１０９は、ステップＳ５において、ＤＶＤ１４の記録内容を消去する。
【００７７】
このように、ＤＶＤフォーマット部１０９は、ステップＳ２乃至Ｓ５の処理で、ＤＶＤ１４の状態を、新たなデータが書き込み可能な状態とする。このＤＶＤフォーマット部１０９の処理（ステップＳ２乃至Ｓ５の処理）の順番は、図５の例に限定されず、ＤＶＤ書き込み部１０８の処理（後述するステップＳ１３の処理）の前までに実行されれば、いずれの順番とされても構わない。
【００７８】
ステップＳ２の処理で、ＤＶＤ１４が書き込み済みではないと判定された場合、または、ステップＳ５の処理が終了された場合、即ち、ＤＶＤフォーマット部１０９がその処理を完了した場合、処理制御部１０２は、それに続けて、調査部１０４の処理を実行させる。
【００７９】
即ち、調査部１０４は、ステップＳ６において、ＤＶ１２に装着されたデジタルビデオテープ１３を巻き戻す。
【００８０】
具体的には、調査部１０４が、処理制御部１０２を介してＤＶ制御部１０３に対して、デジタルビデオテープ１３の巻き戻しを要求する。ＤＶ制御部１０３は、この要求を受けて、「巻き戻し」を指令する制御信号を生成し、ｉ．ＬＩＮＫ４５（図２）を介してＤＶ１２に送信する。
【００８１】
図３において、送信された制御信号が、ケーブル１５、および、ｉ．ＬＩＮＫ７８を介して制御部７６に供給されると、制御部７６は、デジタルビデオテープ１３の巻き戻し処理を実行する。
【００８２】
そして、図４の調査部１０４は、デジタルビデオテープ１３の先頭まで巻き戻されたことをｉ．ＬＩＮＫ４５（図２）を介して検出すると、図５のステップＳ７において、デジタルビデオテープ１３の記録内容を調査する。
【００８３】
ステップＳ７の処理で行われる調査の方法は、特に限定されないが、この例においては、例えば、以下のような方法とされる。
【００８４】
即ち、調査部１０４が、処理制御部１０２を介してＤＶ制御部１０３に対して、デジタルビデオテープ１３の早送り再生を要求する。ＤＶ制御部１０３は、この要求を受けて、「ｋ（ｋは、１より大きい任意の正数値）倍速の再生」を指令する制御信号を生成し、ｉ．ＬＩＮＫ４５（図２）を介してＤＶ１２に送信する。
【００８５】
図３において、送信された制御信号が、ケーブル１５、および、ｉ．ＬＩＮＫ７８を介して制御部７６に供給されると、制御部７６は、デジタルビデオテープ１３のｋ倍速での早送り再生処理を開始する。そして、ビデオ信号記録再生部７４は、デジタルビデオテープ１３からヘッド７５を介して再生された再生ビデオ信号を、ｉ．ＬＩＮＫ７８、ケーブル１５を介してＰＣ１１に順次送信してくる。
【００８６】
ｋ倍速の早送り再生の場合、デジタルビデオテープ１３に記録された全てのフレームが再生されるのではなく、所定の枚数のフレームが間引かれて再生される。即ち、いまの場合、デジタルビデオテープ１３に記録された全てのフレームのうちの、所定間隔の位置にあるフレームがスキャンされて、スキャンされたフレームに対応するデータのみが、再生ビデオ信号として、ＤＶ１２よりＰＣ１１に送信されてくる。なお、デジタルビデオテープのフォーマットでは、１秒間に３０枚のコマ（画像）が記録されることが規定されており、このコマを、ここでは、フレームと称する。
【００８７】
そこで、図４の調査部１０４は、その再生ビデオ信号（スキャンされたフレームのデータ）を、ｉ．ＬＩＮＫ４５（図２）を介して取得し、さらに、取得したフレームのデータの中から、そのフレームの時間情報を取得する。
【００８８】
即ち、フレームのデータの中には、そのフレームに対応するビデオデータ（画像および音声データ）以外に、例えば、そのフレームのフレーム番号の情報、そのフレームの撮影時刻（年、月、日、時、分、および秒）の情報、そのフレームが録画開始点である場合、それを表す情報（以下、録画開始点情報と称する）等からなる時間情報が含まれている。なお、ここでは、図３において、ユーザが操作部７７のうちの録画ボタン（図示せず）を押下して、撮影を開始した時点のデジタルビデオテープ１３の位置（点）を、録画開始点と称する。また、録画開始点情報を含むフレームの１つ前のフレームを、ここでは、便宜上、録画終了点情報を含むフレームと称することにする。即ち、録画終了点情報を含むフレームには、録画終了点情報に対応する具体的な情報が含まれないこともある。
【００８９】
従って、図４の調査部１０４は、そのような、フレーム（ただし、スキャンされたフレーム）の時間情報を取得し、取得した時間情報に基づいて、デジタルビデオテープ１３の記録内容を調査する。
【００９０】
具体的には、調査部１０４は、録画開始点情報を含むフレームを検出すると、そのフレームの時間情報を取得し、その次に、録画終了点情報を含むフレームを検出すると、そのフレームの時間情報を取得する。そして、調査部１０４は、いま検出した、録画開始点情報を含むフレームから、録画終了点情報を含むフレームまでを１つの録画区間と認識し、その録画区間の時間情報を生成する。即ち、その録画区間の開始時刻（年、月、日、時、分、および、秒）、終了時刻（年、月、日、時、分、および、秒）、並びに、その録画区間の長さ（時間）を含む録画区間の時間情報が生成される。
【００９１】
ところで、ＤＶＤ１４は、一般的に、その全録画データが、あらかじめ複数の録画区間に区分されており、所定の操作が施されると、任意の録画区間の先頭からの再生が可能とされている。このようなＤＶＤ１４の録画区間は、一般的に、チャプタと称されている。本実施形態においては、後述するように、ＰＣ１１に取り込まれたデジタルビデオテープ１３の録画データが、ＤＶＤ１４に書き込まれる（記録される）場合、デジタルビデオテープ１３の録画データのうちの、所定の録画開始点から次に現れる録画終了点までの１つの録画区間が、１つのＤＶＤ１４のチャプタとして取り扱われる。従って、以下、そのような、録画開始点から録画終了点までの録画区間を、ＤＶＤ１４に記録される前においても、チャプタと称する。
【００９２】
ただし、上述したように、いまの場合、調査部１０４が調査可能なフレーム（実際に取得するフレーム）は、スキャンされたフレームのみであり、録画開始点や録画終了点を含むフレームがスキャンされるとは限らない。そこで、調査部１０４は、いま取得した第１のフレームの撮影時刻と、直前に取得した第２のフレームの撮影時刻を比較し、所定の時間以上離れている場合、第１と第２のフレームは、それぞれ異なるチャプタのフレームとして認識する。即ち、ＣＰＵ２１（図２）は、直前に取得した第２のフレームを、録画終了点情報を含むフレーム（いままで調査してきた対象チャプタの最終フレーム）とみなし、かつ、いま取得した第１のフレームを、録画開始点情報を含むフレーム（対象チャプタの次のチャプタ（次に調査するチャプタ）の先頭フレーム）とみなして、その直前に取得した第２のフレームと、いま取得した第１のフレームの間を、チャプタの切れ目として認識する。
【００９３】
このようにして、調査部１０４は、チャプタを認識する毎に、その新たに認識したチャプタの時間情報を生成していく。
【００９４】
より具体的には、例えば、いま、デジタルビデオテープ１３の記録内容の一部が、図６に示されるように、フレーム番号０乃至１０００のフレームで構成される録画区間１２１、フレーム番号１００１乃至１９９９までのフレームで構成される録画区間１２２、フレーム番号２０００乃至３３００までのフレームで構成される録画区間１２３、および、フレーム番号３３０１乃至４０００までのフレームで構成される録画区間１２４で構成されるとする。なお、図中、録画区間１２１乃至１２４のそれぞれの中において、「ＳＴ」と記述されている領域（１秒分のフレーム（３０フレーム））は、上述した録画開始点情報等がビデオデータに付加されて記憶されている領域（フレーム）を、「区間データ」と記述されている領域は、ビデオデータのみが記録されている領域を、それぞれ表している。
【００９５】
この場合、上述したように、図４において、調査部１０４が、デジタルビデオテープ１３の記録内容を調べるとき、早送り再生によりスキャンされたフレームのみが供給されてくる。従って、調査部１０４のステップＳ７（図５）の処理で調査された内容は、図６の調査内容に示されるように、実際の録画区間１２１乃至１２４ではなく、チャプタ（区間データ）１３１乃至１３４となる。
【００９６】
即ち、図６の例では、録画区間１２１は、フレーム番号１乃至９９８までのフレームのデータが、チャプタ１３１と認識され、フレーム０、フレーム９９９、およびフレーム１０００は、チャプタ１３１として認識されない。
【００９７】
録画区間１２２は、フレーム番号１００３乃至１９９８までのフレームのデータが、チャプタ１３２と認識され、フレーム１００１、フレーム１００２、およびフレーム１９９９は、チャプタ１３２として認識されない。
【００９８】
録画区間１２３は、フレーム番号２００３乃至３２２８までのフレームのデータが、チャプタ１３３と認識され、フレーム２０００乃至２００２、フレーム３２２９、およびフレーム３３００は、チャプタ１３３として認識されない。
【００９９】
録画区間１２４は、フレーム番号３３０７乃至３３３８までのフレームのデータが、チャプタ１３４と認識され、フレーム３３０１乃至３３０６、フレーム３３３９、およびフレーム４０００は、チャプタ１３４として認識されない。
【０１００】
なお、以下、図６に示されるような、ステップＳ７（図５）の処理で認識されなかったデータ１４１乃至１４８を、未認識データと称する。
【０１０１】
そして、図４の調査部１０４は、デジタルビデオテープ１３のテープエンドまで早送り再生されたことをｉ．ＬＩＮＫ４５（図２）を介して検出すると、それまでに認識した各チャプタのそれぞれの時間情報をリスト化したチャプタリスト（図示せず）を生成し、さらに、チャプタリストに含まれる各チャプタの時間（チャプタの開始時刻から、終了時刻までの時間）のそれぞれを総計し、その総計した時間に、未認識データに対応する時間を加算することで、デジタルビデオテープ１３の記録データの総計時間Ｔｘを演算する。
【０１０２】
また、上述したように、チャプタリストに含まれる各チャプタの先頭フレームと、最終フレームのそれぞれは、実際の録画区間の先頭フレームと、最終フレームのそれぞれとは必ずしも一致しない。例えば、図６において、録画区間１２１の先頭フレームは、フレーム番号０のフレームであり、その最終フレームはフレーム番号１０００のフレームである。これに対して、調査部１０４（図４）が認識したチャプタ１３１の先頭フレームは、フレーム番号１のフレームであり、その最終フレームはフレーム番号９９８のフレームである。
【０１０３】
そこで、チャプタリストに含まれる各チャプタの先頭フレームと、最終フレームのうちの、調査部１０４は、録画開始点情報、または、録画終了点情報が含まれないフレームに対して、所定のフラグ（そのようなフラグを、以下、あいまいフラグと称する）を付加し、それらのあいまいフラグも、チャプタリストの情報として追加する。
【０１０４】
このようにして、この例においては、調査部１０４は、デジタルビデオテープ１３の記録内容として、全チャプタのそれぞれの時間情報（チャプタリスト）、および、記録データの総計時間Ｔｘを調査する。そして、調査部１０４は、その調査した記録内容（チャプタリスト、および、総計時間Ｔｘ）を処理制御部１０２を介して調査内容／設定内容記憶部１１０に記憶させる。なお、調査内容／設定内容記憶部１１０に記憶される内容（ステップＳ７（図５）の処理で調査されるデジタルビデオテープ１３の記録データの内容）は、勿論、この例以外の情報とされてもよい。
【０１０５】
デジタルビデオテープ１３の記録内容が、調査内容／設定内容記憶部１１０に記憶されると、処理制御部１０２は、それに続けて、ビットレート設定部１０６の処理を実行させる。
【０１０６】
即ち、ビットレート設定部１０６は、図５のステップＳ８において、いま調査内容／設定内容記憶部１１０に記憶された、デジタルビデオテープ１３の記録データの総計時間Ｔｘに基づいて、後述するステップＳ１３の処理で、ＤＶＤ−Ｒ／ＲＷドライブ３６に装着されたＤＶＤ１４に、デジタルビデオテープ１３の記録データが書き込まれる場合（記録される場合）における、動画像（画像データ）の画質、および、画サイズ、並びに、音声（音声データ）の音質のそれぞれを決定する。
【０１０７】
デジタルビデオテープ１３の記録データのうちの、画像データの画質、および、画サイズ、並びに、音声データの音質のそれぞれは、ＤＶＤ１４に、デジタルビデオテープ１３の記録データが書き込まれる場合のビットレート（画像データが書き込まれる場合の画像のビットレートと、音声データが書き込まれる場合の音声のビットレートのそれぞれ）に依存する。即ち、ステップＳ８の処理では、デジタルビデオテープ１３の記録データの総計時間Ｔｘに基づいて、ＤＶＤ１４の最大容量（書き込み可能な容量）の範囲内で、デジタルビデオテープ１３の全記録データの書き込みが可能なビットレートのうちの、最適なビットレートが設定される。
【０１０８】
従って、以下、このようなステップＳ８の処理を、「ビットレート設定処理」と称する。なお、この例の「ビットレート設定処理」の詳細については、図７のフローチャートを参照して後述する。
【０１０９】
このようなビットレート設定部１０６の処理の後、処理制御部１０２は、取得部１０５の処理を続けて実行させる。即ち、図５のステップＳ９において、取得部１０５は、デジタルビデオテープ１３の記録データを、ＤＶ１２よりｉ．ＬＩＮＫ４５（図２）を介して取得して、ＨＤＤ３４に一時記憶させる。取得部１０５はさらに、ＨＤＤ３４に記憶させたビデオデータのフォーマットを、ＤＶのフォーマットからＤＶＤのフォーマット（例えば、ＭＰＥＧ−２フォーマット）に変換して、ＨＤＤ３４に記憶させるとともに、変換前のＤＶのフォーマットのビデオデータをＨＤＤ３４から削除する。以下、このようなステップＳ９の処理を、「デジタルビデオテープの記録データの取得処理」と称する。なお、この例の「デジタルビデオテープの記録データの取得処理」の詳細については、図１０乃至図１８を参照して後述する。
【０１１０】
ところで、ＤＶＤ１４には、実際のビデオデータの他に、ＤＶＤメニューと称されるメニューも記録可能とされており、ユーザは、このＤＶＤメニューに従って、ＤＶＤ１４に記録されたビデオデータの再生に関する様々な操作を行うことができる。さらに、このＤＶＤメニューの中には、チャプタメニューと称されるメニューも含ませることが可能であり、ユーザは、チャプタメニューに登録されているチャプタから、所望のチャプタを選択することで、その選択したチャプタの先頭からの再生を行わせることができる。
【０１１１】
そこで、処理制御部１０２は、取得部１０５の処理に続けて、メニュー作成部１０７の処理を実行させる。即ち、ステップＳ１０において、メニュー作成部１０７は、ステップＳ７の処理で生成され、調査内容／設定内容記憶部１１０に記憶されているチャプタリスト（実際には、後述するように、ステップＳ９の処理で更新されたチャプタリスト）に含まれるチャプタの中から、所定のチャプタを選択し、それをチャプタメニューに登録し、最終的な（ＤＶＤ１４に書き込む場合の）チャプタメニューを生成する。以下、このようなステップＳ１０の処理を、「チャプタの登録処理」と称する。なお、この例の「チャプタの登録処理」の詳細については、図１９のフローチャートを参照して後述する。
【０１１２】
メニュー作成部１０７は、ステップＳ１０の「チャプタの登録処理」に引き続き、ステップＳ１１において、このような、ステップＳ１０の処理で生成したチャプタメニューを含むＤＶＤメニューを作成する。
【０１１３】
メニュー作成部１０７の処理によりＤＶＤメニューが作成されると、処理制御部１０２は、それに続けて、ＤＶＤ書き込み部１０８の処理を実行させる。即ち、ＤＶＤ書き込み部１０８は、ステップＳ１２において、ＤＶＤ構造を作成すると、ステップＳ１３において、いま作成したＤＶＤ構造に従って、ステップＳ８の処理でビットレート設定部１０６により設定されたビットレート（調査内容／設定内容記憶部１１０に記憶されたビットレート）で、ステップＳ９の処理で取得部１０５により取得されたビデオデータ（ＨＤＤ３４に記憶されているＤＶＤのフォーマットのビデオデータ）を、ＤＶＤ−Ｒ／ＲＷドライブ３６に装着されたＤＶＤ１４に書き込む（記録させる）。なお、ここでは、ＤＶＤメニューに従って生成される、これからＤＶＤ１４に記録されるデータの配置位置や、階層といったデータ構造を、ＤＶＤ構造と称している。
【０１１４】
このように、図２において、ＰＣ１１には、ＤＶ１２からデジタルビデオテープ１３の記録データを取得し、それをＤＶＤ−Ｒ／ＲＷドライブ３６に装着されたＤＶＤ１４に記録させるまでの一連の処理を一括して行う（連続して行う）、図４に示されるようなデータ取得／ＤＶＤ書き込み部９１が、ＨＤＤ３４等に予めインストールされている。従って、ＤＶ１２が、ＰＣ１１に接続され、かつ、その電源が投入されたことが、ＤＶデータ取得／ＤＶＤ書き込み部９１の起動部１０１により検出されると、ＤＶデータ取得／ＤＶＤ書き込み部９１が自動的に起動され、その処理（上述したステップＳ２乃至Ｓ１３までの一連の処理）が、ユーザの手動操作の介在が無く（自動的に）実行される。
【０１１５】
換言すると、ＰＣ１１は、第１のフォーマットで記録されたコンテンツデータを再生する再生装置と接続する接続手段と、接続手段に接続された再生装置により再生されるコンテンツデータを取得するコンテンツデータ取得手段と、コンテンツデータ取得手段により取得されたコンテンツデータのフォーマットを、第１のフォーマットから第２のフォーマットに変換する変換手段と、変換手段により第２のフォーマットに変換されたコンテンツデータを、情報処理装置から着脱自在な所定の記録媒体に記録させるように制御する記録制御手段と、再生装置より供給される、接続手段に再生装置が接続され、かつ、再生装置によるコンテンツデータの再生が可能であることを表す信号を検出する検出手段と、検出手段により信号が検出された場合、コンテンツデータ取得手段、変換手段、および、記録制御手段の処理を、一連の処理として、その順番で連続して実行させるように制御する処理制御手段とを備えることを特徴とする。
【０１１６】
即ち、ユーザは、特に特別な操作を行うことなく（ただ単に、ＤＶ１２をＰＣ１１に接続し、ＤＶ１２の電源を投入するだけで（必要に応じて、さらにデータ取得／ＤＶＤ書き込み部９１の実行を指令するソフトボタンを、マウス４４でクリックするだけで））、ＤＶ１２からデジタルビデオテープ１３の記録データが、ＰＣ１１に自動的に取り込まれた後、引き続き、ＤＶＤ−Ｒ／ＲＷドライブ３６に装着されたＤＶＤ１４に自動的に記録される。
【０１１７】
従って、データ取得／ＤＶＤ書き込み部９１は、上述した従来の課題を解決することが可能になる。
【０１１８】
なお、図２において、ＰＣ１１に自動的に取り込まれたビデオデータは、上述したように、ＤＶＤ−Ｒ／ＲＷドライブ３６に装着されるＤＶＤ１４のみならず、様々な記録媒体、例えば、ＣＤ−ＲＯＭドライブ３５に装着されるＣＤ−Ｒ（図示せず）、メモリースティックスロット３１に装着されるメモリースティック３２、または、ドライブ４８に装着されるリムーバブル記録媒体４９等に記録可能である。
【０１１９】
次に、図面を参照して、上述した「ビットレート設定処理（ステップＳ８の処理）」、「デジタルビデオテープの記録データの取得処理（ステップＳ９の処理）」、および、「チャプタ登録処理（ステップＳ１０の処理）」のそれぞれの詳細について、その順番で個別に説明する。
【０１２０】
最初に図７のフローチャートを参照して、この例の「ビットレート設定処理」の詳細を説明する。
【０１２１】
はじめに、図４のビットレート設定部１０６は、ステップＳ３１において、上述したステップＳ７（図５）の処理で調査部１０４により調査され、調査内容／設定内容記憶部１１０に記憶された、デジタルビデオテープ１３の記録データの総計時間Ｔｘに基づいて、ＤＶＤ１４に書き込まれるデータ（デジタルビデオテープ１３の記録データ）のうちの、画像データを、最高の第１の値のビットレートで、音声データを、最高の第２の値のビットレートで、ＤＶＤ１４に書き込み可能であるか否かを判定する。
【０１２２】
この例においては、例えば、画像のビットレートの第１の値（最高値）は、８メガ［ｂｐｓ］とされ、音声のビットレートの第２の値（最高値）は、非圧縮のストレートＰＣＭ（Ｐｕｌｓｅ　Ｃｏｄｅ　Ｍｏｄｕｌａｔｉｏｎ）フォーマットで規定されている１．５６７メガ［ｂｐｓ］とされる。
【０１２３】
この場合、ビットレート設定部１０６は、ステップＳ３１の処理において、次の不等式（１）が成立するか否かを判定することにより、ＤＶＤ１４に書き込むデータのうちの、画像データを、最高の第１の値のビットレートで、音声データを、最高の第２の値のビットレートで、ＤＶＤ１４に書き込み可能であるか否かを判定する。
【０１２４】
（Ｂ１　＋　Ｂ２）　×　Ｔｘ　＜　Ｃｍａｘ　・・・（１）
【０１２５】
式（１）において、Ｂ１は画像のビットレートの第１の値［ｂｐｓ］を、Ｂ２は音声のビットレートの第２の値［ｂｐｓ］を、ＴｘはＤＶＤ１４に書き込まれるビデオデータの総計時間［ｓ］（調査内容／設定内容記憶部１１０に記憶されたデジタルビデオテープ１３の記録データの総計時間［ｓ］）を、ＣｍａｘはＤＶＤ１４の記録可能な最大容量［ｂｉｔ］を、それぞれ表している。
【０１２６】
ステップＳ３１において、上述した不等式（１）が成立すると判定した場合、ビットレート設定部１０６は、ステップＳ３２において、画像データを第１の値Ｂ１のビットレートで、音声データを第２の値Ｂ２のビットレートで（非圧縮のストレートＰＣＭフォーマットで）、ＤＶＤ１４に書き込む第１の設定に設定し、処理をリターンさせる。
【０１２７】
これに対して、ステップＳ３１において、上述した不等式（１）が成立しないと判定した場合、ビットレート設定部１０６は、ステップＳ３３において、ＤＶＤ１４に書き込まれるデータのうちの、画像データを、最高の第１の値のビットレートで、音声データを、最高の第２の値より低い、予め設定された第３の値のビットレートで、ＤＶＤ１４に書き込み可能であるか否かを判定する。
【０１２８】
この例においては、例えば、音声のビットレートの第３の値は、Ｄｏｌｂｙ　ＡＣ−３の圧縮フォーマットで規定されている０．３８４メガ［ｂｐｓ］とされる。
【０１２９】
この場合、ビットレート設定部１０６は、ステップＳ３３において、次の不等式（２）が成立するか否かを判定することにより、ＤＶＤ１４に書き込むデータのうちの、画像データを、第１の値のビットレートで、音声データを、第３の値のビットレートで、ＤＶＤ１４に書き込み可能であるか否かを判定する。
【０１３０】
（Ｂ１　＋　Ｂ３）　×　Ｔｘ　＜　Ｃｍａｘ　・・・（２）
【０１３１】
式（２）において、Ｂ３は音声のビットレートの第３の値［ｂｐｓ］を表している。
【０１３２】
ステップＳ３３において、上述した不等式（２）が成立すると判定した場合、ビットレート設定部１０６は、ステップＳ３４において、画像データを第１の値Ｂ１のビットレートで、音声データを第３の値Ｂ３のビットレートで（Ｄｏｌｂｙ　ＡＣ−３の圧縮フォーマットで）、ＤＶＤ１４に書き込む第２の設定に設定し、処理をリターンさせる。
【０１３３】
これに対して、ステップＳ３３において、上述した不等式（２）が成立しないと判定した場合、ビットレート設定部１０６は、ステップＳ３５において、音声データの書き込みを、第３の値Ｂ３のビットレートに設定し、ＤＶＤ１４の容量内で書き込み可能な、画像データのビットレートを演算する。
【０１３４】
この例においては、例えば、ビットレート設定部１０６は、次の不等式（３）が成立するような画像データのビットレートの値Ｂ４を演算する。
【０１３５】
（Ｂ４　＋　Ｂ３）　×　Ｔｘ　＜　Ｃｍａｘ　・・・（３）
【０１３６】
式（３）において、Ｂ４は、ステップＳ３５の処理で設定（演算）する画像データのビットレートの第４の値を表している。
【０１３７】
そして、ビットレート設定部１０６は、画像データを、ステップＳ３５の処理で演算した第４の値Ｂ４のビットレートで、音声データを、第３の値Ｂ３のビットレート（Ｄｏｌｂｙ　ＡＣ−３の圧縮フォーマットで）で、ＤＶＤ１４に書き込む第３の設定に設定し、その処理をリターンさせる。
【０１３８】
図８と図９を参照して、「ビットレート設定処理」の具体的な例を説明する。図８は、ＤＶＤ１４に書き込まれるデータの総計時間Ｔｘ（ステップＳ７（図５）の処理で調査されたデジタルビデオテープ１３の記録データの総計時間Ｔｘ）と、設定されるビットレートの関係を表している。図９は、ＤＶＤ１４に書き込まれるデータの総計時間Ｔｘと、ＤＶＤ１４に書き込まれた場合のデータ容量の関係を表している。
【０１３９】
例えば、いま、ＤＶＤ１４に書き込まれるデータとして、総計時間Ｔｘが時間Ｔａ（ただし、総計時間Ｔａは、第１の設定が適用される最大時間Ｔ１以下の時間）のデータＤａ、総計時間Ｔｘが時間Ｔｂ（ただし、総計時間Ｔｂは、第２の設定が適用される最大時間Ｔ２以下の時間）のデータＤｂ、および、総計時間Ｔｘが時間Ｔｃ（ただし、総計時間Ｔｃは、第３の設定が適用される範囲内の時間）のデータＤｃが存在したとする。
【０１４０】
この場合、データＤａにおいては、第１の設定が設定される。即ち、データＤａの総計時間は時間Ｔａであるので、画像のビットレートの値は、図８の線１５１に示されるように、画像の最大値である第１の値Ｂ１が設定され、音声のビットレートの値は、図８の線１５３に示されるように、音声の最大値である第２の値Ｂ２が設定される（非圧縮のストレートＰＣＭフォーマットが設定される）。従って、図９の線１６１に示されるように、データＤａがＤＶＤ１４に書き込まれた場合、ＤＶＤ１４の書き込み可能な全容量（最大容量Ｃｍａｘ）のうちの容量Ｃｂが使用される（記録済みとなる）。
【０１４１】
データＤｂにおいては、第２の設定が設定される。即ち、データＤｂの総計時間は時間Ｔｂであるので、画像のビットレートの値は、図８の線１５１に示されるように、画像の最大値である第１の値Ｂ１が設定され、音声のビットレートの値は、図８の線１５４に示されるように、音声の最大値Ｂ１より低い第３の値Ｂ３が設定される（Ｄｏｌｂｙ　ＡＣ−３等の圧縮フォーマットが設定される）。従って、図９の線１６２に示されるように、データＤｂがＤＶＤ１４に書き込まれた場合、ＤＶＤ１４の書き込み可能な全容量（最大容量Ｃｍａｘ）のうちの容量Ｃａが使用される（記録済みとなる）。
【０１４２】
データＤｃにおいては、第３の設定が設定される。即ち、データＤｃの総計時間は時間Ｔｃであるので、画像のビットレートの値は、総計時間Ｔｘの増加に伴いビットレートがリニアに減少する特性（図８の例では、線１５２で表される特性）によって決定される第４の値Ｂ４が設定され（ステップＳ３５の処理で演算され）、音声のビットレートの値は、図８の線１５４に示されるように、第３の値Ｂ３が設定される（Ｄｏｌｂｙ　ＡＣ−３等の圧縮フォーマットが設定される）。従って、図９の線１６３に示されるように、データＤｃがＤＶＤ１４に書き込まれた場合、ＤＶＤ１４の書き込み可能な最大容量Ｃｍａｘまで使用される（記録済みとなる）。
【０１４３】
このように、ＤＶＤ１４に書き込まれるデータの総計時間Ｔｘ（ステップＳ７（図５）の処理で調査されたデジタルビデオテープ１３の記録データの総計時間Ｔｘ）が、時間Ｔ１以下の場合、画像と音声のビットレートとも最高の値（画像の第１の値Ｂ１と、音声の第２の値Ｂ２）とされる第１の設定が設定される。
【０１４４】
総計時間Ｔｘが、時間Ｔ１より長く、時間Ｔ２未満の場合、画像のビットレートは、最高の第１の値Ｂ１のまま、音声のビットレートのみ、その値が下げられる（第２の値より低い第３の値が指定される）第２の設定が設定される。
【０１４５】
第２の設定においては、この例では、上述したように、画質がそのままで、音質が先に下げられる設定とされているが、勿論、音質がそのままで、画質が先に下げられる設定とされてもよい。ただし、以下の理由により、第２の設定は、この例（画質がそのままで、音質が先に下げる設定）の方が好適である。即ち、第１の理由として、画像データに比較して、音声データの方が、ビットレートが下げられても、それに伴う劣化の度合いがユーザに伝わりにくいためである。換言すると、音声のビットレートが、第２の値Ｂ２から第３の値Ｂ３に下げられても、人間の聴覚においては、音質の劣化がさほど感じられないことが多いからである。第２の理由として、一般的な傾向として、音質よりも画質を優先するユーザが多いからである。
【０１４６】
また、音声のビットレートを下げる方法は、特に限定されず、例えば、画像のビットレートの第４の値Ｂ４が演算されて決定されるように（図８の線１５２に従って決定されるように）、総計時間Ｔｘの長さに応じて、徐々に（連続的に）ビットレートを下げる方法とされてもよい。ただし、以下の２つの理由により、音声のビットレートを下げる方法は、上述したように、ある点（時間Ｔ１）を境に、第２の固定値Ｂ２から、それより低い第３の固定値Ｂ３に非連続的に下げる方法の方が好適である。即ち、上述した第１の理由と同様の理由と、そもそも音声の最高の値である第２の値Ｂ２自身、画像のビットレートに比較してかなり低い値とされており、音声のビットレートが少しずつ下げられても、ＤＶＤ１４に書き込まれる容量の低減にさほど貢献しないという第３の理由の２つの理由からである。
【０１４７】
総計時間Ｔｘが、時間Ｔ２より長い場合、今度は、さらに画像のビットレートが下げられる第３の設定が設定される。
【０１４８】
画像のビットレートを下げる方法も、特に限定されず、例えば、音声のように、ある点を境に非連続的にビットレートを下げる方法とされてもよい。ただし、音声とは逆の理由により、上述した第４の値Ｂ４が演算されて決定されるように（図８の線１５２に従って決定されるように）、総計時間Ｔｘの長さに応じて、徐々に（連続的に）ビットレートを下げる方法の方が好適である。即ち、画像データは、音声データに比較して、ビットレートが下げられると、それに伴う劣化の度合いがユーザに伝わりやすい（人間の視覚においては、画質の劣化が敏感に感じられることが多い）という第４の理由（第１の理由とは、逆の理由）と、画像の最高値である第１の値Ｂ１はかなり高い値であり、画像のビットレートの低下が、ＤＶＤ１４に書き込まれる容量の低減に大きく貢献するという第５の理由（第３の理由とは、逆の理由）の２つの理由からである。
【０１４９】
このように、図４のビットレート設定部１０６は、「ビットレート設定処理」を実行するので、以下のような効果を奏することが可能になる。
【０１５０】
即ち、従来、ユーザは、ＤＶ１２で撮影したビデオデータ（デジタルビデオテープ１３の記録データ）を、ＤＶＤに書き込ませる場合、手作業で、デジタルビデオテープ１３の記録データの総計時間Ｔｘを演算し（または、ＰＣに演算させ）、手作業で、その総計時間Ｔｘから、ＤＶＤに書き込まれる場合のビットレートを演算し、手作業で演算したビットレートを、ＰＣに登録した上で、ＰＣのデータ取得プログラムを起動させて、ＤＶ１２からデジタルビデオテープ１３の記録データをＰＣに取り込ませ、データ取得プログラムを立ち下げた後、さらに、ＤＶＤ書き込みプログラムを起動させ、ＰＣに、取り込まれたビデオデータを、登録したビットレート（手作業で演算されたビットレート）で、ＤＶＤに書き込ませていた。
【０１５１】
しかしながら、ユーザが、手作業でビットレートを演算するためには、ＤＶＤの規格、ＤＶの規格、および、その他様々な規格、並びにそれらに付随する知識に精通し、かつ、それらを操ることができる高度な技能がユーザに要求されるという課題があった。さらに、そのような高度な知識および技能をたとえ有しているユーザであっても、所望の画質や音質（一般的に、ＤＶＤの容量に収まる範囲で最高の画質や音質）を満足するビットレートを演算することは非常に困難な作業になるという課題があった。
【０１５２】
また、ユーザは、ＰＣを使わずに、ＤＶＤ−Ｒレコーダの機器などを直接ＤＶ１２に繋いで、ＤＶ１２で撮影したビデオデータ（デジタルビデオテープ１３の記録データ）を、ＤＶＤ−Ｒレコーダに装着されたＤＶＤに書き込ませることも可能であるが、この場合、ＤＶＤ−Ｒレコーダ側で予め設定されたビットレートが利用されるため、必ずしも最適なビットレート（画質と音質）でＤＶＤに記録されるわけではないという課題があった。
【０１５３】
これに対して、上述したように、ＰＣ１１（図２）においては、データ取得／ＤＶＤ書き込み部９１（図４）の１機能として、ビットレート設定部１０６が設けられている。即ち、ユーザは、特に特別な操作を行うことなく（ただ単に、ＤＶ１２をＰＣ１１に接続し、ＤＶ１２の電源を投入するだけで）、ＤＶＤ１４に書き込まれるデータ（デジタルビデオテープ１３の記録データ）の最適なビットレートが自動的に設定される。
【０１５４】
換言すると、ＰＣ１１は、第１のフォーマットで記録されたコンテンツデータの所定の時間情報を調査する調査手段と、調査手段により調査されたコンテンツデータの時間情報に基づいて、情報処理装置からから着脱自在な所定の記録媒体にコンテンツデータが記録される場合におけるビットレートを設定する設定手段と、コンテンツデータのフォーマットを、第１のフォーマットから第２のフォーマットに変換して、設定手段により設定されたビットレートで、記録媒体に記録させるように制御する記録制御手段とを備えることを特徴とする。
【０１５５】
このように、ビットレート設定部１０６は、「ビットレート設定処理」を実行することで、上述したビットレートの設定に対する従来の課題を解決することができるという効果を奏することが可能になる。
【０１５６】
次に、図１０と図１１を参照して、取得部１０５（図４）が実行する、この例の「デジタルビデオテープの記録データの取得処理」の詳細を説明する。
【０１５７】
図１０は、取得部１０５の詳細な構成例を表している。
【０１５８】
図１０に示されるように、取得部１０５には、ＨＤＤ３４の空き容量を調査し、ＤＶ１２からデジタルビデオテープ１３の記録データを取り込む場合のモードを選択する取得モード選択部１７１、取得モード選択部１７１により、データを分割して取得するモードが選択された場合、デジタルビデオテープ１３の記録データを区分し、区分したビデオデータのそれぞれを、ＤＶフォーマットでＤＶ１２から順次分割して取り込み、ＨＤＤ３４の後述するＤＶフォーマット記憶可能領域３４−２に記憶させていく分割取得部１７２、ＨＤＤ３４のＤＶフォーマット記憶可能領域３４−２に記憶されたビデオデータのフォーマットを、ＤＶのフォーマットからＤＶＤのフォーマットに変換し、ＨＤＤ３４のＤＶＤフォーマット記憶領域３４−３に記憶させるフォーマット変換部１７３、および、ＨＤＤ３４のＤＶフォーマット記憶可能領域３４−２に記憶されているＤＶフォーマットのビデオデータを削除する取得データ削除部１７４が設けられている。
【０１５９】
取得部１０５にはまた、取得モード選択部１７１により、データを一括して取得するモードが選択された場合、デジタルビデオテープ１３の記録データをＤＶフォーマットでＤＶ１２から一括して取り込み、ＨＤＤ３４のＤＶフォーマット記憶可能領域３４−２に記憶させる一括取得部１７５、および、デジタルビデオテープ１３の取り込み対象の記録データが、古いビデオデータの上に重ね取りされたものである場合、デジタルビデオテープ１３の再生が、取り込み対象の記録データから古いビデオデータになったとき、一括取得部１７５（必要に応じて分割取得部１７２）に対して、取得処理の停止の指令を行う重ね取り監視部１７６が設けられている。
【０１６０】
取得部１０５にはさらに、重ね取り監視部１７６と同様に、一括取得部１７５（必要に応じて分割取得部１７２）に対して取得処理の停止の指令を行う、未記録エリア監視部１７７、および、テープエンド監視部１７８が設けられている。未記録エリア監視部１７７は、デジタルビデオテープ１３の再生中に、一定時間以上の未記録エリアが続いた場合、停止指令を出力する。テープエンド監視部１７８は、デジタルビデオテープ１３がテープエンドまで再生された場合、停止指令を出力する。
【０１６１】
次に、図１１を参照して、この例の「デジタルビデオテープの記録データの取得処理」の詳細について説明する。
【０１６２】
はじめに、ステップＳ５１において、取得モード選択部１７１は、ＨＤＤ３４の空き領域３４−１の容量（以下、空き容量と称する）を調査し、ステップＳ５２において、ＤＶＤに書き込まれる全てのチャプタのデータが、調査されたＨＤＤ３４の空き容量に収まるか否かを判定する。
【０１６３】
具体的には、この例においては、例えば、取得モード選択部１７１は、ステップＳ７（図５）の処理で、調査部１０４（図４）により調査され、調査内容／設定内容記憶部１１０（図４）に記憶されたデジタルビデオテープ１３の記録データの総計時間Ｔｘに、ステップＳ８（図５と図７）の処理で、ビットレート設定部１０６（図４）により設定され、調査内容／設定内容記憶部１１０に記憶されビットレート（第１乃至第３の設定のうちのいずれかの設定で規定されている画像のビットレートと音声のビットレートの値の和）を掛けて、ＤＶＤ１４の記録容量Ｃｄを演算する。即ち、図１０においては、ＨＤＤ３４の空き領域３４−１のうちのＤＶＤフォーマット記憶領域３４−３の容量が、ＤＶＤ１４の記録容量Ｃｄとなる。
【０１６４】
そして、取得モード選択部１７１は、ステップＳ５１の処理で調査したＨＤＤ３４の空き容量Ｃｈ１から、演算したＤＶＤ１４の記録容量Ｃｄを減算することで、デジタルビデオテープ１３の記録データをＤＶフォーマットのままで取り込み、ＨＤＤ３４に一時記憶させることが可能な容量Ｃｈ２（以下、取り込み容量Ｃｈ２と称する）を演算する。即ち、図１０においては、ＨＤＤ３４の空き領域３４−１のうちのＤＶフォーマット記憶可能領域３４−２の容量が、取り込み容量Ｃｈ２となる。
【０１６５】
演算された取り込み容量Ｃｈ２が、ＤＶＤ１４に書き込む全てのチャプタのデータのデータ量（これから取り込むＤＶフォーマットのデジタルビデオテープ１３の記録データのデータ量であり、例えば、この例においては、取得モード選択部１７１自身により演算される）より大きい場合、ステップＳ５２において、ＤＶＤ１４に書き込む全てのチャプタのデータが、ＨＤＤ３４の空き容量に収まると判定される。
【０１６６】
そして、取得モード選択部１７１が、処理をステップＳ５３に進ませると、一括取得部１７５が、ステップＳ５３において、ＤＶ１２よりｉ．ＬＩＮＫ４５（図２）を介してデジタルビデオテープ１３の記録データをＤＶフォーマットのまま一括して（全て）取得して、ＨＤＤ３４のＤＶフォーマット記憶可能領域３４−２に一時記憶させる。一括取得部１７５による取得処理が完了すると、フォーマット変換部１７３は、ＨＤＤ３４のＤＶフォーマット記憶可能領域３４−２に記憶されたＤＶフォーマットのビデオデータを、ＤＶＤフォーマットに変換して、ＨＤＤ３４のＤＶＤフォーマット記憶領域３４−３に記憶させる。そして、取込データ削除部１７４は、ＨＤＤ３４のＤＶフォーマット記憶可能領域３４−２に記憶されたＤＶフォーマットのビデオデータを削除する。
【０１６７】
以下、このようなステップＳ５３の処理を、「自動取得処理」と称する。なお、この例の「自動取得処理」の詳細については、図１７および図１８のフローチャートを参照して後述する。
【０１６８】
即ち、取得モード選択部１７１は、ステップＳ５２の処理で、ＤＶＤに書き込まれる全てのチャプタのデータが、ＨＤＤの空き容量に収まると判定した場合、取得モードとして、主に一括取得部１７５が実行する「自動取得処理」に対応するモードを選択する。
【０１６９】
これに対して、取り込み容量Ｃｈ２（ＨＤＤ３４のＤＶフォーマット記憶可能領域３４−２の容量Ｃｈ２）が、ＤＶＤ１４に書き込まれる全てのチャプタのデータ（これから取り込むＤＶフォーマットのデジタルビデオテープ１３の記録データ）のデータ量より小さい場合、ステップＳ５２において、ＤＶＤ１４に書き込まれる全てのチャプタのデータが、ＨＤＤ３４の空き容量に収まらないと判定され、以下のステップＳ５４乃至Ｓ６２の処理が実行される。なお、以下、ステップＳ５４乃至Ｓ６２の処理を、上述した「自動取得処理」に対して、「バッチキャプチャ処理」と称する。
【０１７０】
換言すると、第１のフォーマットにおけるコンテンツデータの第１のデータ量（例えば、この例においては、図１１のステップＳ５２に記載の「ＤＶＤ１４に書き込む全てのチャプタのデータ」、即ち、デジタルビデオテープ１３の記録データのＤＶフォーマットにおけるデータ量（明細書中に対応する記載あり））、第２のフォーマットにおけるコンテンツデータの第２のデータ量（例えば、この例においては、デジタルビデオテープ１３の記録データのＤＶＤフォーマットにおけるデータ量であり、図１０のＨＤＤ３４の空き領域３４−１のうちのＤＶＤフォーマット記憶領域３４−３の容量（ＤＶＤ１４の記録容量Ｃｄ）に相当するデータ量）が演算され、演算された第１のデータ量、および、演算された第２のデータ量が加算されて、第１のしきい値が演算され、ステップＳ５２の処理で、ＨＤＤの空き容量（例えば、この例においては、図１０のＨＤＤ３４の空き領域３４−１の容量Ｃｈ１）が、演算された第１のしきい値より小さいか否かが判定されることで、ＤＶＤに書き込まれる全てのチャプタのデータが、ＨＤＤの空き容量に収まるか否かが判定される。
【０１７１】
即ち、取得モード選択部１７１は、ステップＳ５２の処理で、ＤＶＤに書き込まれる全てのチャプタのデータが、ＨＤＤの空き容量に収まらないと判定した場合、取得モードとして、主に分割取得部１７２が実行する「バッチキャプチャ処理」に対応するモードを選択する。
【０１７２】
具体的には、「バッチキャプチャ処理」の実行が選択されると、はじめに、ステップＳ５４において、分割取得部１７２が、ＨＤＤ３４の空き容量（ＤＶフォーマット記憶可能領域３４−２の取り込み容量Ｃｈ２）に応じて、一度に取得する最大のデータ量（以下、単に最大データ量と称する）を演算する。即ち、最大データ量が、ＤＶフォーマット記憶可能領域３４−２の取り込み容量Ｃｈ２以下に設定される。
【０１７３】
そして、ステップＳ５５において、分割取得部１７２は、ステップＳ７（図５）の処理で、調査部１０４（図４）により調査され、調査内容／設定内容記憶分１１０（図４）に記憶されたチャプタリストに含まれる全てのチャプタ（デジタルビデオテープ１３の記録データを構成する全チャプタ）の中に、ステップＳ５４の処理で演算した最大データ量以上のデータ量を有するチャプタが存在するか否かを判定する。
【０１７４】
ステップＳ５５において、最大データ量以上のデータ量を有するチャプタが存在すると判定した場合、分割取得部１７２は、ステップＳ５６の処理において、最大データ量以上のデータ量を有するチャプタを、最大データ量以下の所定のデータ量を有する複数の分割区間に区分する。
【０１７５】
具体的には、例えば、いま、ステップＳ７（図５）の処理で、デジタルビデオテープ１３の記録内容の一部が、図１２に示されるように、最大データ量より小さいデータ量を有するチャプタ１８１、最大データ量より大きいデータ量を有するチャプタ１８２、および、最大データ量より小さいデータ量を有するチャプタ１８３で構成されていると調査されたとする。換言すると、調査内容／設定内容記憶部１１０（図４）に記憶されたチャプタリストに、チャプタ１８１乃至１８３が含まれているとする。なお、データ１９１乃至１９６のそれぞれは、未認識データを表している。
【０１７６】
この場合、ステップＳ５５（図１１）の処理で、最大データ量以上のデータ量を有するチャプタ１８２が存在すると判定され、ステップ５６（図１１）の処理で、最大データ量以上のデータ量を有するチャプタ１８２が、図１３に示されるように、最大データ量以下の所定のデータ量を有する分割区間１８２−１と分割区間１８２−２に区分される。
【０１７７】
この場合、調査内容／設定内容記憶部１１０（図４）に記憶されたチャプタリストも変更される。即ち、チャプタ１８２のチャプタ情報が消去され、消去された位置に分割区間１８２−１と分割区間１８２−２のそれぞれの区間情報（チャプタ情報に対応する情報）が追加される。
【０１７８】
このとき、分割区間１８２−１の前には未認識データ１９３が存在するので、分割区間１８２−１の先頭のフレームには、上述したあいまいフラグが付加されるが（分割前のチャプタ１８２の先頭フレームのあいまいフラグがそのまま残されるが）、分割区間１８２−１の後には、未認識データが存在しないので（分割区間１８２−１の最終フレームと、分割区間１８２−２の先頭フレームは連続しているので）、分割区間１８２−１の最終フレームには、あいまいフラグが付加されない。同様に、分割区間１８２−２の先頭フレームには、あいまいフラグが付加されないが、分割区間１８２−２の最終フレームには、あいまいフラグが付加される（分割前のチャプタ１８２の最終フレームのあいまいフラグがそのまま残される）。
【０１７９】
なお、図１３の例では、２つの分割区間に区分される例が示されているが、区分される個数、即ち、１つのチャプタから区分される分割区間の数は、ステップＳ５４の処理で演算された最大データ量以下の分割区間に区分されれば、特に限定されない。
【０１８０】
これに対して、図１１のステップＳ５５において、最大データ量以上のデータ量を有するチャプタが存在しないと判定された場合、ステップＳ５６の処理は実行されず、処理はステップＳ５７に進む。
【０１８１】
ステップＳ５５において、最大データ量以上のデータ量を有するチャプタが存在しないと判定した場合、または、ステップＳ５６の処理を終了した場合、図１０の分割取得部１７２は、ステップＳ５７において、調査内容／設定内容記憶部１１０（図４）に記憶されたチャプタリストに基づいて、次に取得予定のチャプタのデータ、または、分割区間のデータを、ＤＶ１２よりｉ．ＬＩＮＫ４５（図２）を介して取得し、ＨＤＤ３４のＤＶフォーマット記憶可能領域３４−２に記憶させる。
【０１８２】
具体的には、例えば、いま、分割取得部１７２が、次に取得予定のチャプタとして、フレーム番号５３乃至６８までのフレームで構成されるチャプタを認識したとする。また、認識されたチャプタに対応するデジタルビデオテープ１３の実際の記録内容が、図１４に示されるように、フレーム番号５０乃至７０までのフレームで構成される録画区間２０１とされる。
【０１８３】
この場合、上述したように、録画区間２０１のうちのデータ２０１−１とデータ２０１−３は、未認識データとされているので、調査部１０４（図４）により認識されたチャプタの先頭フレーム（フレーム番号５３のフレーム）と、最終フレーム（フレーム番号６８のフレーム）のそれぞれには、上述したあいまいフラグが付加されている。
【０１８４】
従って、分割取得部１７２は、先頭フレームのあいまいフラグを検出すると、巻き戻し再生（例えば、−１倍速再生）を行わせることを、ＤＶ制御部１０３（図４）に要求する。ＤＶ制御部１０３は、その要求を受けると、「巻き戻し再生」を指令する制御信号を生成し、ｉ．ＬＩＮＫ４５（図２）を介してＤＶ１２に送信することで、ＤＶ１２が、デジタルビデオテープ１３の巻き戻し再生を行うことを制御する。
【０１８５】
デジタルビデオテープ１３の巻き戻し再生が行われると（ＤＶ１２のヘッド７５（図３）の位置が、図１４に示される位置から、図１５に示される点線矢印の方向に相対的に移動していくと）、フレーム番号５３から１つずつ番号が戻されながら、それらのフレーム番号のフレームに対応する再生ビデオ信号が、ＤＶ１２から順次送信されてくる。
【０１８６】
そこで、分割取得部１７２は、ｉ．ＬＩＮＫ４５（図２）を介してこの再生ビデオ信号を取得し、各フレーム毎に、録画開始点情報が含まれていないかを調査する。そして、分割取得部１７２は、録画開始点情報を検出したら、検出した録画開始点情報が含まれるフレーム（いまの場合（図１５の場合）、フレーム番号５０のフレーム）を、次に取得予定のチャプタの先頭フレームとして更新する（調査内容／設定内容記憶部１１０に記憶されているチャプタリストを更新する）。
【０１８７】
そして、分割取得部１７２は、更新した先頭フレーム（フレーム番号５０のフレーム）から、通常速度での再生を行わせることをＤＶ制御部１０３（図４）に要求する。ＤＶ制御部１０３は、その要求を受けると、「通常（１倍）再生」を指令する制御信号を生成し、ｉ．ＬＩＮＫ４５（図２）を介してＤＶ１２に送信することで、ＤＶ１２が、デジタルビデオテープ１３の通常再生を行うことを制御する。
【０１８８】
デジタルビデオテープ１３の通常再生が行われると（ＤＶ１２のヘッド７５（図３）の位置が、図１６に示される点線矢印の方向に相対的に移動していくと）、フレーム番号５０（実際は、それより少し前のフレーム番号）から１つずつ番号が進みながら、それらのフレーム番号のフレームに対応する再生ビデオ信号が、ＤＶ１２から順次送信されてくる。
【０１８９】
そこで、分割取得部１７２は、ｉ．ＬＩＮＫ４５（図２）を介してこの再生ビデオ信号の取得を開始し、いまの場合（図１６の場合）、フレーム番号５０のフレームからＨＤＤ３４のＤＶフォーマット記憶可能領域３４−２に記憶させる処理を開始し、あいまいフラグを検出すると（いまの場合（図１６の場合）、フレーム番号６８のフレームを取得すると）、次の録画終了点情報を含むフレーム（録画開始点情報を含むフレームの１つ前のフレームであり、いまの場合（図１６の場合）、フレーム番号７０のフレーム）までをＨＤＤ３４のＤＶフォーマット記憶可能領域３４−２に記憶させた後、自分自身の取得処理を停止するとともに、通常再生の停止を行わせることをＤＶ制御部１０３（図４）に要求する。ＤＶ制御部１０３は、その要求を受けると、「停止」を指令する制御信号を生成し、ｉ．ＬＩＮＫ４５（図２）を介してＤＶ１２に送信することで、ＤＶ１２が、デジタルビデオテープ１３の通常再生の停止を行うことを制御する。
【０１９０】
なお、あいまいフラグが含まれていない場合、上述した巻き戻し処理等は行われず、単に、チャプタリストに含まれる先頭フレームから最終フレームまでが再生され、それがＰＣ１１に収録される。
【０１９１】
このように、分割取得部１７２は、上述した方法（図１４乃至図１６に示される方法）で、ＤＶ１２より、デジタルビデオテープ１３の記録内容を漏れなく取得することが可能になる。
【０１９２】
即ち、例えば、仮に分割取得部１７２が、単に、調査内容／設定内容記憶部１１０（図４）に記憶されたチャプタリストに基づいて、図１６に示される、デジタルビデオテープ１３の実際の記録内容である録画区間２０１のデータを、チャプタのデータとして取得しようとした場合、チャプタリストには、ステップＳ７（図５）のスキャン処理で検出されたデータ２０１−２のみがチャプタとして登録されているので、分割取得部１７２は、録画区間２０１のうちの、スキャンで検出されたチャプタに対応するデータ２０１−２のみしか取得することができない（未認識データ２０１−１と未認識データ２０１−３を取得することができない）。
【０１９３】
これに対して、この例の分割取得部１７２は、上述した方法（図１４乃至図１６に示される方法）でデータの取得処理を行うので、録画区間２０１の全てを、チャプタのデータ２０４として確実に取得することが可能になる。
【０１９４】
ところで、ＨＤＤ３４のＤＶフォーマット記憶可能領域３４−２に記憶されたチャプタのデータは、ＤＶフォーマットのままである。ＤＶフォーマットにおいては、　１フレームが、１２００００［バイト］とされ、フレームレートが、２９．９７［フレーム／秒］と規定されているので、デジタルビデオテープ１３の１秒間のデータ量は、３５９６４００［バイト／秒］（＝１２００００［バイト／フレーム］＊２９．９７［フレーム／秒］）となり、１分間に換算すると、２１５７８４０００［バイト］（２１５．７９ＭＢ）にもなってしまう。
【０１９５】
これに対して、ＤＶＤのフォーマット、例えば、この例のＭＰＥＧ−２フォーマットにおいては、上述したように、画像のビットレートが、最大で８Ｍ［ｂｐｓ］（ビットレート設定部１０６（図４）により設定される最大の第１の値）とされているので、１分間のデータ量は、最大でも６０ＭＢとなり、ＤＶフォーマットの約３．４分の１以下で収まる。
【０１９６】
そこで、図１１のステップＳ５８において、フォーマット変換部１７３は、ステップＳ５７の処理で分割取得部１７２により取得され、ＨＤＤ３４のＤＶフォーマット記憶可能領域３４−２に記憶されたＤＶフォーマットのデータ（チャプタのデータ、または、分割区間のデータ）を、ＤＶＤフォーマットに変換して、ＨＤＤ３４のＤＶＤフォーマット記憶領域３４−３に記憶させる。そして、ステップＳ５９において、取込データ削除部１７４は、ステップＳ５７の処理で分割取得部１７２により取得され、ＨＤＤ３４のＤＶフォーマット記憶可能領域３４−２に記憶されたＤＶフォーマットのデータ（ステップＳ５８の処理で、フォーマット変換部１７３によりＨＤＤ３４のＤＶＤフォーマット記憶領域３４−３に記憶されたＤＶＤフォーマットのデータに対応する、ＤＶフォーマットのデータ）を削除する。
【０１９７】
ステップＳ６０において、フォーマット変換部１７３は、ステップＳ５８の処理で、ＤＶＤフォーマットに変換して、ＨＤＤ３４のＤＶＤフォーマット記憶領域３４−３に記憶させたデータに録画終了点（情報）が含まれているか否かを判定する。
【０１９８】
即ち、ステップＳ５８の処理でＨＤＤ３４のＤＶＤフォーマット記憶領域３４−３に記憶されたビデオデータが、ステップＳ５６の処理で区分された分割区間のうちの、最後の分割区間以外のデータであった場合、そのビデオデータには録画終了点情報を含むフレームが含まれていないので、ステップＳ６０において、記憶したデータに録画終了点が含まれていないと判定され、処理はステップＳ６２に進む。
【０１９９】
これに対して、ステップＳ５８の処理でＨＤＤ３４のＤＶＤフォーマット記憶領域３４−３に記憶されたビデオデータが、ステップＳ５６の処理で区分された分割区間のうちの、最後の分割区間のデータであった場合、または、分割されていないチャプタのデータであった場合、ステップＳ６０において、記憶したデータに録画終了点が含まれていると判定し、フォーマット変換部１７３は、ステップＳ６１において、チャプタを設定する。
【０２００】
即ち、ＨＤＤ３４のＤＶＤフォーマット記憶領域３４−３に記憶されたビデオデータが、ステップＳ５６の処理で区分された分割区間のうちの、最後の分割区間のデータであった場合、フォーマット変換部１７３は、ＨＤＤ３４のＤＶＤフォーマット記憶領域３４−３に記憶された他の分割区間と、その最後の分割区間を合併し、チャプタのデータとしてＨＤＤ３４のＤＶＤフォーマット記憶領域３４−３に記憶させ（上書きさせ）、調査内容／設定内容記憶部１１０（図４）に記憶されたチャプタリストも更新する。
【０２０１】
また、ＨＤＤ３４のＤＶＤフォーマット記憶領域３４−３に記憶されたデータが、分割されていないチャプタのデータであった場合、フォーマット変換部１７３は、単に、調査内容／設定内容記憶部１１０（図４）に記憶されたチャプタリストを更新する。例えば、ＨＤＤ３４のＤＶＤフォーマット記憶領域３４−３に記憶されたデータが、図１６のチャプタのデータ２０４とされた場合、上述したように、チャプタリストの先頭フレームのフレーム番号は、ステップＳ５７の処理の段階で、５３から５０に更新されている。しかしながら、チャプタリストの最終フレームのフレーム番号が、６８のままであるので、ステップＳ６１の処理で７０に更新される。
【０２０２】
図１１に戻り、ステップＳ６０の処理で、記憶されたデータに録画終了点が含まれていないと判定された場合、または、ステップＳ６１の処理が終了された場合、分割取得部１７２は、ステップＳ６２において、ＤＶＤ１４に書き込まれる全てのチャプタのデータ（チャプタリストに含まれている全てのチャプタのデータ）を、ＤＶ１２より取得したか否かを判定する。
【０２０３】
ステップＳ６２において、ＤＶＤ１４に書き込む全てのチャプタのデータを、ＤＶ１２よりまだ取得していないと判定された場合、処理はステップＳ５７に戻り、それ以降の処理が繰り返される。即ち、その次に取得予定のチャプタのデータ、または、分割区間のデータが、ＤＶフォーマットで取り込まれ、ＨＤＤ３４のＤＶフォーマット記憶可能領域３４−２に記憶された後、ＤＶＤフォーマットに変換されて、ＨＤＤ３４のＤＶＤフォーマット記憶領域３４−３に記憶されると、ＨＤＤ３４のＤＶフォーマット記憶可能領域３４−２に記憶されたＤＶフォーマットのデータが削除される。
【０２０４】
そして、以上のステップＳ５７乃至Ｓ６２の処理が繰り返され、最後のチャプタのデータが、ＨＤＤ３４のＤＶＤフォーマット記憶領域３４−３に記憶されると、ステップＳ６２において、ＤＶＤ１４に書き込まれる全てのチャプタのデータを、ＤＶ１２より取得したと判定され、その処理が終了される。
【０２０５】
上述したように、取得部１０５（図４と図１０）は、「デジタルビデオテープの記録データの取得処理」のうちの「バッチキャプチャ処理」を実行することができるので、以下のような効果を奏することが可能になる。
【０２０６】
即ち、従来、ＤＶ１２に装着されたデジタルビデオテープ１３から、ＰＣ等にビデオデータを取り込む方法として、以下の２つの方法が知られていた。
【０２０７】
即ち、第１の方法は、ユーザが、ＤＶ１２を操作して、ユーザ自身が所望する取り込み開始位置までデジタルビデオテープ１３を移動させた後、ＰＣに取り込みを開始させると同時に、ＤＶ１２にデジタルビデオテープ１３の再生を実行させ、必要な部分の取り込みが終わると、ＰＣの取り込み処理を停止させ、ＤＶ１２にデジタルテープ１３の停止処理を実行させる方法である。
【０２０８】
また、第２の方法は、ユーザが、ＤＶ１２を操作して、ユーザ自身の所望する取り込み開始位置にデジタルテープ１３を移動させた後、ＰＣに、その位置を取り込み開始位置として登録させ、次に、ＤＶ１２を操作して、取り込み停止位置にデジタルテープ１３を移動させた後、ＰＣに、その位置を取り込み終了位置として登録させた後、取り込みの処理を実行させる方法である。
【０２０９】
しかしながら、第１の方法においては、ユーザは、データの取り込み中、補助記憶装置（ＰＣのＨＤＤ等）の空き容量を確認しながら、ユーザ自身が手動で、取り込む範囲を分割して取り込みを行わなくてはならず、どの範囲（長さ）で分割すればよいかの判断を行うことが困難であるという課題があった。さらに、第１の方法においては、そのようにして分割された分割部分の繋ぎ目の制御は非常に困難であり、たとえ分割されたデータの繋ぎ目の制御が実行されたとしても、その繋ぎ目制御により繋がれたデータは、同じデータが重複したり、データに抜けがあったりするデータとなってしまうという課題もあった。
【０２１０】
また、第２の方法においては、第１の方法に比較して、分割部分の繋ぎ目の制御の実行は多少容易になるが、分割する範囲（長さ）の設定は、第１の方法同様、相変わらず非常に困難な作業であり、さらに分割点ごとに指定をするのは、長時間かかるという課題があった。
【０２１１】
これに対して、本発明のＰＣ１１（図２）は、データ取得／ＤＶＤ書き込み部９１（図４）の１機能として、「バッチキャプチャ処理」を実行することができる。
【０２１２】
即ち、ＤＶＤ１４に書き込まれるデータ（デジタルビデオテープ１３の記録データ）の一括取得が不可能な場合であっても、ユーザは、特に特別な操作を行うことなく（ただ単に、ＤＶ１２をＰＣ１１に接続し、ＤＶ１２の電源を投入するだけで）、次の処理が行われて、デジタルビデオテープ１３の記録データが自動的にＰＣ１１に取り込まれる。
【０２１３】
換言すると、第１のフォーマットで記録されたコンテンツデータを取得する情報処理装置において、コンテンツデータを記憶する記憶手段と、記憶手段の空き容量を演算する演算手段と、演算手段により演算された記憶手段の空き容量に基づいて、コンテンツデータを複数の区間データに区分し、区分した複数の区間データのうちの所定の第１の区間データを取得して、記憶手段に記憶させるように制御する取得手段と、取得手段により取得され、記憶手段に記憶された第１の区間データのフォーマットを、第１のフォーマットから第２のフォーマットに変換して、データ量が第１の区間データより小さい第２の区間データを生成し、生成した第２の区間データを、記憶手段に記憶させる変換手段と、変換手段により第１の区間データのフォーマットが変換されて、生成された第２の区間データが、記憶手段に記憶された場合、コンテンツデータを構成する複数の区間データのうちの、第１の区間データとは異なる第３の区間データが取得手段により取得される前に、記憶手段に記憶された第１の区間データを消去する消去手段とを備えることを特徴とする。
【０２１４】
即ち、デジタルビデオテープ１３の記録データが、複数のデータ（チャプタのデータ、または、分割区分のデータ）に区分され、区分されたデータのそれぞれが１つずつ分割されて順次取得され、ＨＤＤ３４のＤＶフォーマット記憶可能領域３４−２に一時記憶された後、ＤＶＤフォーマットに変換されて、ＨＤＤのＤＶＤフォーマット記憶領域３４−３に記憶されると、それに対応する、ＨＤＤ３４のＤＶフォーマット記憶可能領域３４−２に記憶されたＤＶフォーマットのデータが削除される。
【０２１５】
このように、ＨＤＤ３４の空き容量が少なく、デジタルビデオテープ１３の記録データ（ＤＶＤ１４に書き込まれるデータ）の一括取り込みが不可能とされている場合であっても、デジタルビデオテープ１３の全ての記録データの取り込みが可能になる。即ち、ユーザは、補助記憶装置（ＨＤＤ３４）の空き容量を気にすることなく、ＤＶ１２に挿入されたデジタルビデオテープ１３の記録データの全てを漏れなく、かつ、短時間でＰＣ１１に取り込ませることが可能になる。また、このような「バッチキャプチャ処理」が行われた場合においても、一部のデータが重複に取り込まれたり、一部のデータが取り込まれなかったりといったエラーが発生することなく、デジタルビデオテープ１３の記録データの全てが確実、かつ正確に取り込まれる。
【０２１６】
従って、取得部１０５は、「バッチキャプチャ処理」を実行することで、上述したデジタルビデオテープ１３の記録データの、ＤＶ１２からＰＣ等への取り込みに対する従来の課題を解決することができるという効果を奏することが可能になる。
【０２１７】
以上、図１１のフローチャートを参照して、「デジタルビデオテープの記録データの取得処理」のうちの「バッチキャプチャ処理（ステップＳ５４乃至Ｓ６２の処理）」について説明した。次に、「デジタルビデオテープの記録データの取得処理」のうちの「自動取得処理」について説明する。
【０２１８】
上述したように、ステップＳ５２において、ＤＶＤ１４に書きまれる全てのチャプタのデータが、ＨＤＤ３４の空き容量に収まると判定された場合、ステップＳ５３において、「自動取得処理」が実行される。
【０２１９】
この例の「自動取得処理」の詳細が、図１７と図１８のフローチャートに示されている。そこで、図１７と図１８のフローチャートを参照して、この例の「自動取得処理」の詳細について説明する。
【０２２０】
はじめに、図１７のステップＳ８１において、図１０の一括取得部１７５は、取り込み開始位置（調査内容／設定内容記憶部１１０に記憶されているチャプタリストに含まれる先頭チャプタの先頭フレーム）からのデータの取得が可能であるか否かを判定する。即ち、一括取得部１７５は、ＤＶ１２に装着されたデジタルビデオテープ１３の現在の位置が、取り込み開始位置に一致しているか（実際は、取り込み開始位置の少し手前の位置であるか）否かを判定する。
【０２２１】
ステップＳ８１において、取り込み開始位置からのデータの取得が不可能であると判定した場合（可能ではないと判定した場合）、一括取得部１７５は、ステップＳ８２において、取り込み開始位置に基づいて、デジタルビデオテープ１３の早送り、または巻き戻しを行う。
【０２２２】
即ち、一括取得部１７５は、デジタルビデオテープ１３の現在の位置が、取り込み開始位置より前である場合は、早送りをさせることを、取り込み開始位置より後である場合は、巻き戻しをさせることを、ＤＶ制御部１０３（図４）に要求する。ＤＶ制御部１０３は、その要求を受けると、「早送り」、または「巻き戻し」を指令する制御信号を生成し、生成した制御信号を、ｉ．ＬＩＮＫ４５（図２）を介してＤＶ１２に送信することで、ＤＶ１２が、デジタルビデオテープ１３の早送り、または巻き戻しを行うことを制御する。
【０２２３】
具体的には、例えば、いま、一括取得部１７５が、デジタルビデオテープ１３の先頭位置から記録されている記録データの取得を行うとすると、一括取得部１７５は、デジタルビデオテープ１３の先頭位置までの巻き戻しを、ＤＶ制御部１０３に要求する。ＤＶ制御部１０３は、その要求を受けると、「巻き戻し」を指令する制御信号を生成し、生成した制御信号を、ｉ．ＬＩＮＫ４５を介してＤＶ１２に送信することで、ＤＶ１２が、デジタルビデオテープ１３の巻き戻しを行うことを制御する。
【０２２４】
そして、一括取得部１７５は、デジタルビデオテープ１３の先頭位置までの巻き戻しが完了したことを検出すると、ステップＳ８３において、データの取得を開始させ、ステップＳ８４において、デジタルビデオテープ１３を再生させる。
【０２２５】
具体的には、一括取得部１７５は、通常速度での再生をＤＶ制御部１０３（図４）に要求する。ＤＶ制御部１０３は、その要求を受けると、「通常再生」を指令する制御信号を生成し、ｉ．ＬＩＮＫ４５（図２）を介してＤＶ１２に送信することで、ＤＶ１２が、デジタルビデオテープ１３の通常再生を行うことを制御する。デジタルビデオテープ１３の通常再生が行われると、取り込み開始位置に対応するビデオデータから順に、再生されたビデオデータ（再生ビデオ信号）が順次送信されてくる。
【０２２６】
そこで、一括取得部１７５は、ｉ．ＬＩＮＫ４５（図２）を介してこのビデオデータを順次取得し、取得したビデオデータをＨＤＤ３４のＤＶフォーマット記憶可能領域３４−２に記憶させていく。
【０２２７】
そして、ステップＳ８５において、一括取得部１７５は、録画開始点を検出したか否かを判定する。
【０２２８】
ステップＳ８５において、録画開始点を検出した場合、即ち、録画開始点情報を含むフレームを取得した場合、一括取得部１７５は、ステップＳ８６において、録画開始時刻（そのフレームに含まれる撮影時刻情報（年、月、日、時、分、および秒））を取得する。
【０２２９】
ステップＳ８５において、録画開始点を検出しなかった場合（検出していないと判定した場合）、または、ステップＳ８６の処理を終了した場合、一括取得部１７５は、ステップＳ８７において、録画終了点を検出したか否かを判定する。
【０２３０】
ステップＳ８７において、録画終了点を検出した場合、即ち、録画終了点情報を含むフレームを取得した場合、一括取得部１７５は、ステップＳ８８において、録画終了時刻（そのフレームに含まれる撮影時刻情報（年、月、日、時、分、および秒））を取得し、チャプタを設定する。
【０２３１】
即ち、上述したように、調査内容／設定内容記憶部１１０（図４）に記憶されているチャプタリストに含まれるチャプタは、デジタルビデオテープ１３の記録データに含まれる全てのフレームのうちの、ステップＳ７の処理（図５）で、早送り再生によりスキャンされたフレームのみから作成されたものである（例えば、上述した図６参照）。従って、一括取得部１７５は、ステップＳ８５乃至Ｓ８８の処理で、実際の録画開始点と、その次に現れる録画終了点を検出し、それらの間の録画区間をチャプタとして設定し、そのチャプタの録画開始時刻、および、録画終了時刻等を含むチャプタ情報を生成し、調査内容／設定内容記憶部１１０（図４）に記憶されているチャプタリストを更新する。
【０２３２】
図１８のステップＳ８９において、重ね取り監視部１７６は、一括取得部１７５により、いま取得されたフレームの時刻（いまＤＶ１２により再生された第１のフレームに含まれる撮影時刻情報（年、月、日、時、分、および秒））が、直前に取得されたフレームの時刻（第１のフレームの直前に、ＤＶ１２により再生された第２のフレームに含まれる撮影時刻情報（年、月、日、時、分、および秒））より古い時刻であるか否かを判定する。
【０２３３】
即ち、一括取得部１７５により、いま取得されたフレームの時刻が、直前に取得されたフレームの時刻より古い時刻である場合、いま取得されたフレーム以降のフレームで構成される第１のビデオデータと、その直前のフレーム以前のフレームで構成される第２のビデオデータは、直接関連するデータではなく、第１のビデオデータは、第２のビデオデータより時間的に前のデータであることを表している。即ち、過去に記録された第１のビデオデータの上に、新たな第２のビデオデータ（今回取得対象のビデオデータ）が上書きされたことを表している。
【０２３４】
従って、ステップＳ８９において、一括取得部１７５により、いま取得されたフレームの時刻が、直前に取得されたフレームの時刻より古い時刻であると判定した場合、重ね取り監視部１７５は、いままで取得されてきた（取り込み対象の）第２のビデオデータの再生が終了したと判定し、一括取得部１７５に対して、その取得処理の停止を指令する。
【０２３５】
一括取得部１７５は、この停止指令を受け取ると、ステップＳ９２において、データの取得を停止し、ステップＳ９３において、デジタルビデオテープ１３を停止させる。
【０２３６】
即ち、一括取得部１７５は、通常再生の停止を、ＤＶ制御部１０３（図４）に要求する。ＤＶ制御部１０３は、この要求を受けると、「停止」を指令する制御信号生成し、ｉ．ＬＩＮＫ４５（図２）を介してＤＶ１２に送信することで、ＤＶ１２が、デジタルビデオテープ１３の停止を行うことを制御する。
【０２３７】
このように、重ね取り監視部１７６の処理により、取得部１０５は、過去に録画された第１のビデオデータの上に、今回取り込み対象の第２のビデオデータが上書きされたデジタルビデオテープ１３からも、取り込み対象の第２のビデオデータのみを確実に取得することが可能になる。
【０２３８】
これに対して、ステップＳ８９において、一括取得部１７５により、いま取得されたフレームの時刻が、直前に取得されたフレームの時刻より古い時刻ではないと判定した場合、重ね取り監視部１７６は、いままで取得されてきた（取り込み対象の）第２のビデオデータがまだ終了していないと判定し、こんどは、未記録エリア監視部１７７が、ステップＳ９０において、一定時間の間、未記録エリアであるか否かを判定する。
【０２３９】
即ち、一定時間の間、未記録エリアが続いた場合（ステップＳ９０において、一定時間の間、未記録エリアであると判定した場合）、未記録エリア監視部１７７は、いままで取得されてきた（取り込み対象の）第２のビデオデータが、それ以降の部分に記録されていないとみなして（第２のビデオデータの再生が終了したとみなして）、一括取得部１７５に対して、その取得処理の停止を指令する。
【０２４０】
一括取得部１７５は、この停止指定を受け取ると、ステップＳ９２において、データの取得を停止し、ステップＳ９３において、デジタルビデオテープ１３を停止させる。
【０２４１】
このように、未記録エリア監視部１７７の処理により、取得部１０５は、今回取り込み対象の第２のビデオデータが、デジタルビデオテープ１３のテープエンドまで記録されていない場合であっても、テープエンドまで再生させることなく、取り込み対象の第２のビデオデータのみを確実に取得することが可能になる。従って、取り込み時間の短縮が可能となる。
【０２４２】
これに対して、ステップＳ９０において、一定時間の間、未記録エリアが続いていないと判定した場合、未記録エリア監視部１７７は、いままで取得してきた（取り込み対象の）第２のビデオデータがまだ終了していないと判定し、こんどは、テープエンド監視部１７８が、ステップＳ９１において、デジタルビデオテープ１３のテープエンドまで再生されたか否かを判定する。
【０２４３】
ステップＳ９１において、デジタルビデオテープ１３のテープエンドまで再生されていないと判定された場合、処理はステップＳ８５（図１７）に戻り、それ以降の処理が繰り返される。即ち、いままで取得されてきた（取り込み対象の）第２のビデオデータが終了されたと判定されるまで、一括取得部１７５によるデータの取得処理が引き続き行われる。
【０２４４】
これに対して、デジタルビデオテープ１３のテープエンドまで再生されたと判定した場合、一括取得部１７５に対して、その取得処理の停止を指令する。
【０２４５】
一括取得部１７５は、この停止指令を受け取ると、ステップＳ９２において、データの取得を停止し、ステップＳ９３において、デジタルビデオテープ１３を停止させる。
【０２４６】
このようにして、一括取得部１７５によるデータの取得処理が完了すると（ステップＳ９３の処理が終了されると）、フォーマット変換部１７３は、ステップＳ９４において、一括取得部１７５により取得され、ＨＤＤ３４のＤＶフォーマット記憶可能領域３４−２に記憶されたＤＶフォーマットのビデオデータを、ＤＶＤフォーマット（この例では、ＭＰＥＧ−２のフォーマット）に変換させて、ＨＤＤ３４のＤＶＤフォーマット記憶領域３４−３に記憶させる。そして、ステップＳ９５において、取得データ削除部１７４が、一括取得部１７５により取得され、ＨＤＤ３４のＤＶフォーマット記憶可能領域３４−２に記憶されたＤＶフォーマットのデータを削除し、処理をリターンさせる。
【０２４７】
上述したように、取得部１０５は、「デジタルビデオテープの記録データの取得処理」のうちの「自動取得処理」を実行することができるので、以下のような効果を奏することが可能になる。
【０２４８】
即ち、「バッチキャプチャ処理」の効果でも説明したように、従来、ＤＶ１２に装着されたデジタルビデオテープ１３から、ＰＣ等にビデオデータを取り込む方法として、以下の２つの方法が知られていた。
【０２４９】
即ち、第１の方法は、ユーザが、ＤＶ１２を操作して、ユーザ自身が所望する取り込み開始位置までデジタルビデオテープ１３を移動させた後、ＰＣに取り込みを開始させると同時に、ＤＶ１２にデジタルビデオテープ１３の再生を実行させ、必要な部分の取り込みが終わると、ＰＣの取り込み処理を停止させ、ＤＶ１２にデジタルテープ１３の停止処理を実行させる方法である。
【０２５０】
また、第２の方法は、ユーザが、ＤＶ１２を操作して、ユーザ自身の所望する取り込み開始位置にデジタルテープ１３を移動させた後、ＰＣに、その位置を取り込み開始位置として登録させ、次に、ＤＶ１２を操作して、取り込み停止位置にデジタルテープ１３を移動させた後、ＰＣに、その位置を取り込み終了位置として登録させた後、ＰＣに取り込みの処理を実行させる方法である。
【０２５１】
しかしながら、第１の方法においては、ユーザは、ＤＶ１２を手動で操作して、デジタルテープ１３の巻き戻し、停止、および、再生の処理を実行させなければならず、デジタルテープ１３の記録データのＰＣへの取り込み中は、ユーザが取り込んでいる映像を監視しなければいけないという課題があった。
【０２５２】
勿論、ユーザは、映像を監視せず、デジタルテープ１３のテープエンドまでＰＣに取り込ませることもできる。しかしながら、この場合、今度は、例えば、デジタルビデオテープ１３に、過去に録画された第１のビデオデータの上に、今回取り込み対象の第２のビデオデータが上書きされていたとすると、そのデジタルビデオテープ１３からは、ユーザが取り込みを所望する第２のビデオデータのみならず、不必要な（ユーザが取り込みを意図していない）第１のビデオデータまで取り込まれてしまうといった課題や、テープエンドまで記録されてないデジタルビデオテープからは、不必要な未記録エリア（未データ）まで取り込まれてしまい、その結果、取り込み時間が必要以上にかかってしまうという課題が発生してしまう。
【０２５３】
また、第２の方法においても、取り込みの開始位置、若しくは終了位置までのデジタルビデオテープ１３の移動、並びに、その確認や登録といった操作は、ユーザの手作業（ＤＶ１２の手動操作）が必要であり、その結果、それらの操作に長時間がかかるという課題があった。
【０２５４】
これに対して、本発明のＰＣ１１（図１と図２）は、データ取得／ＤＶＤ書き込み部９１（図４）の１機能として、「自動取得処理」を実行することができる。即ち、デジタルビデオテープ１３の記録データがたとえどのような状態でも、ユーザは、特に特別な操作を行うことなく（ただ単に、ＤＶ１２をＰＣ１１に接続し、ＤＶ１２の電源を投入するだけで）、ユーザが所望するビデオデータのみが自動的に取り込まれ、その取り込みが終了すると、取り込み処理自体が即停止される。
【０２５５】
換言すると、ＰＣ１１は、所定の再生装置により再生される、複数のフレームから構成される所定のコンテンツデータを取得する取得手段と、再生装置により再生される複数のフレームのそれぞれに含まれる時間情報のうちの、フレームが記録された記録時刻を監視し、複数のフレームのうちの、いま監視した第１のフレームの記録時刻が、第１のフレームよりも時間的に前に監視した第２のフレームの記録時刻より古い時刻である場合、取得手段によるコンテンツデータの取得の処理を停止するように制御する取得停止制御手段とを備えることを特徴とする。
【０２５６】
即ち、過去の第１のビデオデータ（取り込みが不要の第１のビデオデータ）の上に、今回取り込み対象の第２のビデオデータが重ね撮りされている場合であっても、過去の第１のビデオデータが取り込まれることなく、取り込み対象の第２のビデオデータのみが確実に取り込まれることが可能になる。
【０２５７】
また、ＰＣ１１は、所定の再生装置により再生される所定のコンテンツデータを取得する取得手段と、再生装置の再生内容を監視し、所定の時間以上、コンテンツデータの記録データが再生されない場合、取得手段によるコンテンツデータの取得の処理を停止するように制御する取得停止制御手段とを備えることを特徴とする。
【０２５８】
このように、取得部１０５は、「自動取得処理」を実行することで、上述したデジタルビデオテープ１３の記録データの、ＤＶ１２からＰＣ等への取り込みに対する従来の課題を解決することができるという効果を奏することが可能になる。
【０２５９】
なお、「バッチキャプチャ処理」においても、図１１のステップＳ６２の代わりに、図１８のステップＳ８９乃至Ｓ９１が挿入されることで、上述した「自動取得処理」と同様の効果を奏することが可能になる。ただし、この場合、ステップＳ８９乃至９１のうちのいずれかの処理でＹＥＳであると判定された場合、処理はリターンされ、また、ステップＳ９１の処理でＮＯであると判定された場合、処理は、ステップＳ５７に戻り、それ以降の処理が繰り返される。換言すると、図１０の矢印の点線で示されるように、重ね取り監視部１７６、未記録エリア監視部１７７、および、テープエンド監視部１７８のそれぞれは、停止指令を一括取得部１７５のみならず、分割取得部１７２に対しても出力することが可能である。
【０２６０】
次に図１９のフローチャートを参照して、この例の「チャプタの登録処理」の詳細を説明する。
【０２６１】
はじめに、ステップＳ１１１において、図４のメニュー作成部１０７は、規定時間を選択する。規定時間は、ユーザにより設定された時間が選択される。ユーザは、任意の時間の設定が可能であるが、この例においては、説明の簡略上、例えば、１０分、３０分、および、１日（２４時間）の中から設定されるとする。なお、規定時間の詳細は、後述する。
【０２６２】
ステップＳ１１２において、メニュー作成部１０７は、対象チャプタを、ステップＳ９（図５）の処理で更新されたチャプタリストに含まれる全てのチャプタ（ステップＳ９の処理で取得されたデジタルビデオテープ１３の記録データを構成する全てのチャプタ）のうちの、最初のチャプタ（先頭チャプタ）に設定する。
【０２６３】
なお、「チャプタの登録処理」の説明においては、処理の対象とされるチャプタを、他のチャプタと区別するために、対象チャプタと称する。
【０２６４】
ステップＳ１１３において、メニュー作成部１０７は、チャプタメニューに１つ前に登録したチャプタの録画開始時刻（その時点の直前のステップＳ１１４の処理で登録したチャプタの先頭フレームに含まれる撮影時刻情報（年、月、日、時、分、および秒））と、対象チャプタの録画開始時刻（対象チャプタの先頭フレームに含まれる撮影時刻情報（年、月、日、時、分、および秒））との時間間隔が、ステップＳ１１１の処理で選択された規定時間以上であるか否かを判定する。
【０２６５】
ステップＳ１１３において、チャプタメニューに登録した１つ前のチャプタの録画開始時刻と、対象チャプタの録画開始時刻との時間間隔が、規定時間以上であると判定した場合、メニュー作成部１０７は、ステップＳ１１４において、対象チャプタを、チャプタメニューに登録する。即ち、この場合、対象チャプタは、チャプタメニューに表示されるチャプタとなる。
【０２６６】
これに対して、ステップＳ１１３において、チャプタメニューに登録した１つ前のチャプタの録画開始時刻と、対象チャプタの録画開始時刻との時間間隔が、規定時間未満である場合（規定時間以上でないと判定した場合）、メニュー作成部１０７は、対象チャプタを、チャプタメニューに登録せず（ステップＳ１１４の処理を実行せずに）、処理をステップＳ１１５に進める。
【０２６７】
この場合、または、ステップＳ１１４の処理を終了した場合、メニュー作成部１０７は、ステップＳ１１５において、対象チャプタが最終チャプタであるか否かを判定する。
【０２６８】
ステップＳ１１５において、対象チャプタが最終チャプタではないと判定した場合、メニュー作成部１０７は、ステップＳ１１６において、次のチャプタを、対象チャプタに設定した後、処理をステップＳ１１３に戻し、それ以降の処理を繰り返す。
【０２６９】
即ち、ステップＳ９（図５）の処理で更新されたチャプタリストに含まれる全てのチャプタ（ステップＳ９の処理で取得されたデジタルビデオテープ１３の記録データを構成する全てのチャプタ）のそれぞれに対して、１チャプタ毎に、ステップＳ１１３の条件が満たされるか否かの判定がそれぞれなされ、全てのチャプタのうちの、ステップＳ１１３の条件を満たすチャプタが、チャプタメニューに登録されていく（チャプタメニューに表示されるチャプタとして登録されていく）。
【０２７０】
そして、最終チャプタが、対象チャプタとされ、チャプタメニューに登録されるか否かの処理が行われると（ステップＳ１１３の処理と、必要に応じてステップＳ１１４の処理が行われると）、ステップＳ１１５において、対象チャプタが最終チャプタであると判定されて、処理がリターンされる。
【０２７１】
「チャプタの登録処理」の具体例を、図２０乃至図２２を参照して説明する。
【０２７２】
即ち、上述したように、規定時間は、可変とされており、この例においては、１０分、３０分、１日（２４時間）の中から選択される。図２０は、規定時間が１０分に選択された場合の例を、図２１は、規定時間が３０分に選択された場合の例を、図２２は、規定時間が１日に選択された場合の例を、それぞれ表している。
【０２７３】
例えば、いま、図２０に示されるように、チャプタ２１１乃至２１７が、その順番で配置されて（その順番で再生されるように）構成されるビデオデータがあったとする。なお、図中、チャプタ２１１乃至２１７のそれぞれの左上方に記載された数値は、そのチャプタの録画開始点の時刻（そのチャプタの先頭フレームの時刻）を表しており、また、チャプタ２１１乃至２１７のそれぞれの右上方に記載された数値は、そのチャプタの録画終了点の時刻（そのチャプタの最終フレームの時刻）を表している。例えば、チャプタ２１１の録画開始点の時刻は、１０：００（１０時）とされ、その録画終了点の時刻は、１０：０８（１０時８分）とされている。
【０２７４】
この場合、はじめに、チャプタ２１１が、対象チャプタに設定される。その時点では、まだチャプタメニュー２２１−１に登録されているチャプタは存在しないので、このような場合、チャプタ２１１が、チャプタメニュー２２１−１に登録される。即ち、ビデオデータを構成するチャプタのうちの先頭チャプタは、自動的にチャプタメニューに登録される。
【０２７５】
次に、チャプタ２１１の次のチャプタ２１２が、対象チャプタに設定されると、ＤＶＤメニュー２２１−１に１つ前に登録されたチャプタ２１１の録画開始点の時刻１０：００と、対象チャプタ２１２の録画開始点の時刻１０：１０との時間間隔（１０分）が、規定時間（１０分）以上であるので、チャプタ２１２が、チャプタメニュー２２１−１に登録される。
【０２７６】
その後、同様な処理が繰り返され、チャプタ２１３も、チャプタリスト２２１−１に登録され、今度は、チャプタ２１３の次のチャプタ２１４が、対象チャプタに設定されると、ＤＶＤメニュー２２１−１に登録された１つ前のチャプタ２１３の録画開始点の時刻１０：３５と、対象チャプタ２１４の録画開始点の時刻１０：３９との時間間隔（４分）が、規定時間（１０分）未満であるので、チャプタ２１４が、チャプタメニュー２２１−１に登録されず、引き続いて、チャプタ２１５が対象チャプタに設定される。
【０２７７】
それ以降、上述した処理が、最終チャプタ２１７まで繰り返されて、最終的に、図２０に示されるようなチャプタメニュー２２１−１が生成される。
【０２７８】
即ち、チャプタ２１５は、ＤＶＤメニュー２２１−１に登録された１つ前のチャプタ２１３の録画開始点の時刻１０：３５と、チャプタ２１５の録画開始点の時刻１０：４２との時間間隔（７分）が、規定時間（１０分）未満であるので、チャプタメニュー２２１−１に登録されない。
【０２７９】
これに対して、チャプタ２１６は、ＤＶＤメニュー２２１−１に登録された１つ前のチャプタ２１３の録画開始点の時刻１０：３５と、チャプタ２１６の録画開始点の時刻１１：３０との時間間隔（５５分）が、規定時間（１０分）以上であるので、チャプタメニュー２２１−１に登録される。
【０２８０】
同様に、チャプタ２１７は、ＤＶＤメニュー２２１−１に登録された１つ前のチャプタ２１６の録画開始点の時刻１１：３０と、チャプタ２１６の録画開始点の時刻１２：００との時間間隔（３０分）が、規定時間（１０分）以上であるので、チャプタメニュー２２１−１に登録される。
【０２８１】
上述したように、規定時間は、可変であり、任意の時間がステップＳ１１１（図１９）の処理で設定可能である。例えば、図２０においては、規定時間が１０分とされたが、規定時間が３０分とされると、図２０と同一のビデオデータ（チャプタ２１１乃至２１７から構成されるビデオデータ）からは、図２１に示されるようなチャプタメニュー２２１−２が生成される。
【０２８２】
図２０のチャプタメニュー２２１−１と、図２１のチャプタメニュー２２１−２を比較すると、図２０のチャプタメニュー２２１−１に登録されているチャプタメニュー２１２が、図２１のチャプタメニュー２２１−２には登録されていないことがわかる。これは、チャプタ２１２において、ＤＶＤメニュー２２１−１に登録された１つ前のチャプタ２１１の録画開始点の時刻１０：００と、対象チャプタ２１２の録画開始点の時刻１０：１０との時間間隔は１０分であり、図２０に示されるように規定時間が１０分の場合は、ステップＳ１１３（図１１）の条件が満たされるが、図２１に示されるように規定時間が３０分の場合には、ステップＳ１１３の条件が満たされなくなるからである。
【０２８３】
さらに、規定時間は、任意の時間だけではなく、上述した１日、１週間、１ケ月または、１年といった単位（秒、分、または時間で表される単位とは異なる単位）での設定も可能である。
【０２８４】
ただし、これらの単位が設定される場合、単位の区切りは、日付の境目とされる。この日付の境目は、単純に夜中の０：００に固定されてもよい。しかしながら、最近のライフスタイルの変化により、前の日から夜中の０：００を超え、次の日まで１つのイベントが継続されることが多々あり、そのような場合、単純に夜中の０：００で区切られると、１つのイベントが分割されてしまうという課題が発生してしまう。そこで、この例においては、例えば、日付の境目は、任意の時刻が設定可能とされている。即ち、日付の境目は、設計者により予め設定されたものが使用されてもよいが、この例では、例えば、ユーザにより任意の時刻が設定可能とされている。
【０２８５】
このように、規定時間が、日付（１日）とされると、図２２に示されるように、同日のチャプタのうちの先頭のチャプタ（例えば、７／１のチャプタ２３１とチャプタ２３２のうちの、先頭のチャプタ２３１）が、チャプタメニュー２４１に登録される。即ち、チャプタメニュー２４１には、７／１の先頭のチャプタ２３１、７／２の先頭のチャプタ２３３、７／３の先頭のチャプタ２３４、および、７／４の先頭のチャプタ２３５が登録される。
【０２８６】
なお、この例においては、例えば、チャプタ２３４に示されるように、たとえそのチャプタの終了時刻が、上述した日付の境目の時刻を越えていても、連続した録画（録画開始点から録画終了点までの間の録画）である場合、日付の境目で分割されて、日付の境目以降のデータが次の日の先頭のチャプタとして扱われるということにはならず、あくまでも１つのチャプタとして扱われる。即ち、その次のチャプタ（いまの場合、チャプタ２３５）が、次の日の先頭のチャプタとして扱われて、チャプタメニューに登録される。
【０２８７】
上述したように、チャプタメニュー作成部１０７（図４）は、「チャプタメニュー登録処理」を実行することができるので、以下のような効果を奏することが可能になる。
【０２８８】
即ち、従来においても、ユーザが、ＤＶ１２で撮影したビデオデータ（デジタルビデオテープ１３の記録データ）をＤＶＤに記録させる場合、それに対応するＤＶＤメニューのチャプタメニューをＰＣに作成させることは可能であった。
【０２８９】
しかしながら、従来の場合、ＰＣは、ユーザの手作業で指定されたチャプタをチャプタメニューに登録するか、取り込まれたビデオデータを構成する全てのチャプタをチャプタメニューに登録していた。そのため、チャプタメニューの作成時間が長時間になるという課題と、不要なチャプタまでＤＶＤのメニューに登録されてしまうという課題があった。
【０２９０】
例えば、本実施形態のように、録画開始点と録画終了点までの録画区間がチャプタとされる場合、１つのビデオデータ（ＤＶＤ１４に記録されるビデオデータ）は、非常に多数のチャプタから構成されることになり、これら多数のチャプタの全てがチャプタメニューに登録されると、そのチャプタメニューの作成に時間がかかるとともに、ユーザは、作成されたチャプタメニューから、所望のチャプタを探索することが困難になってしまう。
【０２９１】
また、連続したビデオデータを、単純に所定の時間間隔で区切って、チャプタメニューを作成する方法も知られているが、この方法の場合、チャプタメニューに登録されたチャプタは、必ずしもイベント毎に作成されるわけではないため、この方法を利用して、ユーザが所望するチャプタメニューを自動的に作成することは困難であった。
【０２９２】
これに対して、本発明のＰＣ１１（図１と図２）においては、データ取得／ＤＶＤ書き込み部９１（図４）の１機能として、「チャプタ登録処理」が設けられている。即ち、ユーザは、特に特別な操作を行うことなく（ただ単に、ＤＶ１２をＰＣ１１に接続し、ＤＶ１２の電源を投入するだけで）、録画開始情報（録画開始点）に基づいて、チャプタメニューが自動的に生成されるので、ユーザの作業の手間がかからず、自動的にチャプタメニューの作成が可能になる。
【０２９３】
換言すると、ＰＣ１１は、所定のコンテンツデータが、複数の区間に区分されている場合、複数の区間のうちの所定の区間を項目とする、コンテンツデータの区間の録画順番を表す目次を作成する情報処理装置であって、複数の区間のそれぞれを、区間の録画順番の順に、対象区間として順次設定し、目次の項目として１つ前に登録した区間の録画開始時刻と、設定した対象区間の録画開始時刻との時間間隔が、所定の規定時間以上である場合、対象区間を目次の項目として登録する処理を繰り返して、目次を作成する目次作成手段を備えることを特徴とする。
【０２９４】
このように、各チャプタ間の撮影開始時刻に基づいて、チャプタメニューが生成されるために、所定の撮影イベントの間隔毎に、チャプタメニューが作成されることが可能になる。特に、運動会の各種競技のそれぞれが撮影イベントとされた場合、結婚式の一次会と二次会のそれぞれが撮影イベントとされた場合、または、サッカーの前半と後半のそれぞれが撮影イベントとされた場合等において、この例の「チャプタ登録処理」の効果は特に顕著なものとなる。
【０２９５】
従って、メニュー作成部１０７は、「チャプタメニュー登録処理」を実行することで、上述したチャプタメニューの作成に対する従来の課題を解決することができるという効果を奏することが可能になる。
【０２９６】
以上、本発明の実施形態として、図１の情報処理システム１を例にして、その説明を行ったが、その実施の形態は、図１の例に限定されず、様々な実施の形態を取ることが可能である。
【０２９７】
例えば、ＰＣ１１とＤＶ１２の接続方法は、上述した一連の処理が可能な方法であれば、特に限定されない。
【０２９８】
具体的には、例えば、図２３に示されるように、ＰＣ１１にクレイドル３０１が接続され、このクレイドル３０１にＤＶ１２が乗せられることにより、ＰＣ１１とＤＶ１２が接続されてもよい。即ち、この場合、ケーブル１５（図１）の代わりに、クレイドル３０１が接続され、ＤＶ１２がクレイドル３０１に乗せられると、ＰＣ１１のｉ．ＬＩＮＫ４５（図２）とＤＶ１２のｉ．ＬＩＮＫ７８（図３）が接続される。
【０２９９】
或いは、例えば、図２４に示されるように、ＰＣ１１とＤＶ１２は、インターネットを含むネットワーク３１１を介して相互に接続されてもよい。
【０３００】
また、本発明が適用される情報処理装置は、ＰＣの形態に限定されず、様々な実施の形態を取ることが可能であり、例えば、図２５に示されるような、光学ドライブ機器３２１とされてもよい。
【０３０１】
光学ドライブ機器３２１の構成は、特に図示はしないが、基本的に、上述した図２のＤＶＤ−Ｒ／ＲＷドライブ３６と同様の機能を有していればよい。ただし、この場合、光学ドライブ機器３２１には、上述した一連の処理を実行するソフトウエアプログラム（取り込み／ＤＶＤ書き込み部９１（図４））や、ＤＶ１２から供給されるデジタルビデオテープ１３の記録データを記憶するメモリ（例えば、図２のＨＤＤ３４のようなハードディスク）、そのプログラムを実行するＣＰＵ（例えば、図２のＣＰＵ２１のようなＣＰＵ）、および、プログラムを実行するためのパラメータやデータを一時記憶するメモリ（例えば、ＲＡＭ等）、並びに、ＤＶ１２とデータを送受信するためのｉ．ＬＩＮＫも必要とされる。
【０３０２】
或いは、ＤＶ１２自身に、上述した一連の処理を実行するソフトウエアプログラム（取り込み／ＤＶＤ書き込み部９１（図４））がインストールされてもよい。
【０３０３】
ところで、一連の処理をソフトウエアにより実行させる場合には、そのソフトウエアを構成するプログラムが専用のハードウエアに組み込まれているコンピュータ、または、各種のプログラムをインストールすることで、各種の機能を実行することが可能な、例えば汎用のパーソナルコンピュータなどに、記録媒体からインストールされる。
【０３０４】
記録媒体は、図２に示されるように、パーソナルコンピュータとは別に、ユーザにプログラムを提供するために配布される、プログラムが記録されている磁気ディスク（フレキシブルディスクを含む）、光ディスク（ＣＤ−ＲＯＭ（Ｃｏｍｐａｃｔ　Ｄｉｓｃ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｃ）を含む）、光磁気ディスク（ＭＤ（Ｍｉｎｉ−Ｄｉｓｃ）（登録商標）を含む）、若しくは半導体メモリなどよりなるリムーバブル記録媒体４９（パッケージメディア）により構成されるだけでなく、コンピュータに予め組み込まれた状態でユーザに提供される、プログラムが記憶されているＲＯＭやＨＤＤ３４が含まれるハードディスクなどで構成される。
【０３０５】
また、上述した一連の処理は、ソフトウエアにより実行させることもできるが、ハードウエアにより実行させることもできる。この場合、情報処理装置は、例えば、図４に示されるような、取り込み／ＤＶＤ書き込み部９１に対応するハードウエアを有する。
【０３０６】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０３０７】
また、上述した例においては、ＤＶ１２のフォーマットを例にして説明を行ったため、フレームが使用されたが、フィールドが使用されてもよく、本明細書において、このようなもの（フレーム、または、フィールド）を、アクセスユニットとも称する。
【０３０８】
さらに、本明細書において、システムとは、処理手段、および複数の装置により構成される装置全体を表すものである。
【０３０９】
【発明の効果】
以上のごとく、本発明によれば、デジタルビデオテープの記録データをＤＶＤに記録させることができる。特に、ユーザが、デジタルビデオテープが装着されたＤＶをＰＣに接続し、ＤＶの電源を投入するだけで（さらに必要に応じて、処理の実行を指令するためにＰＣのマウスのクリック操作を１回するだけで）、デジタルビデオテープの記録データを、ＤＶからＰＣに取り込み、ＤＶのフォーマットからＤＶＤのフォーマットに変更させて、ＤＶＤに記録させるまでの一連の処理を自動的に実行させることができる。即ち、第１のフォーマットで第１の記録媒体に記録されたビデオデータを、第２のフォーマットで第２の記録媒体に記録させるまでの一連の処理を、ユーザの手動操作を介することなく実行させることができる。
【図面の簡単な説明】
【図１】本発明が適用されるパーソナルコンピュータを含む情報処理システムの構成例を示すブロック図である。
【図２】図１の情報処理システムのうちの、本発明が適用されるパーソナルコンピュータのハードウエアの構成例を示すブロック図である。
【図３】図１の情報処理システムのうちのデジタルビデオレコーダの構成例を示す図である。
【図４】図２のパーソナルコンピュータが有するソフトウエアの１つである、データ取得／ＤＶＤ書き込み部の構成例を示す機能ブロック図である。
【図５】図４のデータ取得／ＤＶＤ書き込み部の処理例を説明するフローチャートである。
【図６】デジタルビデオテープの記録の調査内容の例を説明する図である。
【図７】図５のデータ取得／ＤＶＤ書き込み処理のうちの、ビットレート設定処理の詳細例を説明するフローチャートである。
【図８】ＤＶＤに書き込むデータの総計時間と、ビットレートの関係の例を説明する図である。
【図９】ＤＶＤに書き込むデータの総計時間と、ＤＶＤに書き込んだ場合の容量の関係の例を説明する図である。
【図１０】図４の図４のデータ取得／ＤＶＤ書き込み部のうちの、取得部の構成例を示す機能ブロック図である。
【図１１】図５のデータ取得／ＤＶＤ書き込み処理のうちの、デジタルビデオテープの記録データの取得処理の詳細例を説明するフローチャートである。
【図１２】図１０の取得部のうちの分割取得部の具体的な処理例を説明する図である。
【図１３】図１０の取得部のうちの分割取得部の具体的な処理例を説明する図である。
【図１４】図１０の取得部のうちの分割取得部の具体的な処理例を説明する図である。
【図１５】図１０の取得部のうちの分割取得部の具体的な処理例を説明する図である。
【図１６】図１０の取得部のうちの分割取得部の具体的な処理例を説明する図である。
【図１７】図１１のデジタルビデオテープの記録データの取得処理のうちの、自動取得処理の詳細例を説明するフローチャートである。
【図１８】図１１のデジタルビデオテープの記録データの取得処理のうちの、自動取得処理の詳細例を説明するフローチャートである。
【図１９】図５のデータ取得／ＤＶＤ書き込み処理のうちの、チャプタの登録処理の詳細例を説明するフローチャートである。
【図２０】図１９のチャプタの登録処理の具体的な例を説明する図である。
【図２１】図１９のチャプタの登録処理の具体的な例を説明する図である。
【図２２】図１９のチャプタの登録処理の具体的な例を説明する図である。
【図２３】本発明が適用されるパーソナルコンピュータを含む情報処理システムの他の構成例を示すブロック図である。
【図２４】本発明が適用されるパーソナルコンピュータを含む情報処理システムの他の構成例を示すブロック図である。
【図２５】本発明が適用される他の情報処理装置を含む情報処理システムの他の構成例を示すブロック図である。
【符号の説明】
１１　パーソナルコンピュータ（ＰＣ）　１２　デジタルビデオテープレコーダ（ＤＶ），　１３　デジタルビデオテープ，　１４　ＤＶＤ，　２１　ＣＰＵ，　３４　ＨＤＤ，　３４−１　空き領域，　３４−２　ＤＶフォーマット記憶可能領域，　３４−３　ＤＶＤフォーマット記憶領域，　３６　ＤＶＤ−Ｒ／ＲＷドライブ，　４５　ｉ．ＬＩＮＫ，　１０１　起動部，　１０２　処理制御部，　１０３　ＤＶ制御部，　１０４調査部１０４　取得部，　１０６　ビットレート設定部，　１０７　メニュー作成部，　１０８　ＤＶＤ書き込み部，　１０９　ＤＶＤフォーマット部，　１１０　調査内容／設定内容記憶部，　１２１乃至１２４　録画区間，　１３１乃至１３４　チャプタ，　１７１　取得モード選択部，　１７２　分割取得部，　１７３フォーマット変換部，　１７４　取得データ削除部，　１７５　一括取得部，１７６　重ね撮り監視部，　１７７　未記録エリア監視部，　１７８　テープエンド監視部，　１８２　チャプタ，　１８２−１，１８２−２　分割区間，　２１１乃至２１７　チャプタ，　２２１−１，２２１−２　チャプタメニュー，
２３１乃至２３５　チャプタ，　２４１　チャプタメニュー
【図１】
2004104284.tif 000003
【図２】
2004104284.tif 000004
【図３】
2004104284.tif 000005
【図４】
2004104284.tif 000006
【図５】
2004104284.tif 000007
【図６】
2004104284.tif 000008
【図７】
2004104284.tif 000009
【図８】
2004104284.tif 000010
【図９】
2004104284.tif 000011
【図１０】
2004104284.tif 000012
【図１１】
2004104284.tif 000013
【図１２】
2004104284.tif 000014
【図１３】
2004104284.tif 000015
【図１４】
2004104284.tif 000016
【図１５】
2004104284.tif 000017
【図１６】
2004104284.tif 000018
【図１７】
2004104284.tif 000019
【図１８】
2004104284.tif 000020
【図１９】
2004104284.tif 000021
【図２０】
2004104284.tif 000022
【図２１】
2004104284.tif 000023
【図２２】
2004104284.tif 000024
【図２３】
2004104284.tif 000025
【図２４】
2004104284.tif 000026
【図２５】
2004104284.tif 000027